(57)【特許請求の範囲】
【請求項１】
光軸に沿って物体側から順に、正屈折力の第１レンズ群と、負屈折力の第２レンズ群と、正屈折力の第３レンズ群と、負屈折力の第４レンズ群と、正屈折力の第５レンズ群とにより実質的に５個のレンズ群からなり、
前記第２レンズ群より像側に開口絞りを有し、
広角端状態から望遠端状態への変倍に際し、前記第１レンズ群と前記第２レンズ群との間隔は増大し、前記第２レンズ群と前記第３レンズ群との間隔は減少し、前記第３レンズ群と前記第４レンズ群との間隔は変化し、前記第４レンズ群と前記第５レンズ群との間隔は変化するように、像面に対して前記第１レンズ群は単調に物体側に移動し、前記第２レンズ群は一旦像側に移動した後物体側に移動し、前記第３レンズ群は単調に物体側に移動し、
以下の条件式を満足し、
前記第１レンズ群および前記第２レンズ群における光学面のうち少なくとも１面に反射防止膜が設けられ、反射防止膜はウェットプロセスを用いて形成された層を少なくとも１層含むように構成されていることを特徴とする変倍光学系。
０．１７  ＜  ｆ１／ｆＴ  ＜  ０．６０
１．０３  ＜  φＴ／φＷ  ＜  １．７０
０．０３２  ＜  −ｆ２／ｆＴ  ＜  ０．０５７ 
但し、
ｆＴ：望遠端状態における全系の焦点距離
ｆ１：前記第１レンズ群の焦点距離
ｆ２：前記第２レンズ群の焦点距離
φＷ：広角端状態における前記開口絞りの最大開口径
φＴ：望遠端状態における前記開口絞りの最大開口径
【請求項２】
前記反射防止膜は多層膜であり、
前記ウェットプロセスで形成された層は、前記多層膜を構成する層のうち最も表面側の層であることを特徴とする請求項１に記載の変倍光学系。
【請求項３】
前記ウェットプロセスを用いて形成された層の屈折率をｎｄとしたとき、ｎｄは１．３０以下であることを特徴とする請求項１から２に記載の変倍光学系。
【請求項４】
前記反射防止膜が設けられた前記光学面は、開口絞りから見て凹形状のレンズ面であることを特徴とする請求項１から３に記載の変倍光学系。
【請求項５】
前記開口絞りから見て凹形状のレンズ面は、像面側のレンズ面であることを特徴とする請求項４に記載の変倍光学系。
【請求項６】
前記開口絞りから見て凹形状のレンズ面は、物体側のレンズ面であることを特徴とする請求項４に記載の変倍光学系。
【請求項７】
前記反射防止膜が設けられた前記光学面は、物体から見て凹形状のレンズ面であることを特徴とする請求項１から３のいずれか１項に記載の変倍光学系。
【請求項８】
前記反射防止膜が設けられた前記凹形状のレンズ面は、前記第１レンズ群の最も物体側のレンズから像面側に２番目のレンズの、像面側レンズ面であることを特徴とする請求項７に記載の変倍光学系。
【請求項９】
前記反射防止膜が設けられた前記凹形状のレンズ面は、前記第２レンズ群の最も物体側のレンズから像面側に２番目のレンズの、物体側レンズ面であることを特徴とする請求項７に記載の変倍光学系。
【請求項１０】
前記反射防止膜が設けられた前記凹形状のレンズ面は、前記第２レンズ群の最も物体側のレンズから像面側に３番目のレンズの、像面側レンズ面であることを特徴とする請求項７に記載の変倍光学系。
【請求項１１】
前記反射防止膜が設けられた前記凹形状のレンズ面は、前記第２レンズ群の最も物体側のレンズから像面側に４番目のレンズの、物体側レンズ面であることを特徴とする請求項７に記載の変倍光学系。
【請求項１２】
以下の条件式を満足することを特徴とする請求項１から１１のいずれか１項に記載の変倍光学系。
１．０２  ＜  φＭ１０／φＷ  ＜  １．７０
但し、
φＭ１０：広角端状態における全系の焦点距離をｆＷとするとき、全系の焦点距離がｆＷの１０倍以上の中間焦点距離状態での前記開口絞りの最大開口径
φＷ：広角端状態における前記開口絞りの最大開口径
【請求項１３】
以下の条件式を満足することを特徴とする請求項１から１２のいずれか１項に記載の変倍光学系。
１．０２  ＜  φＭ１５／φＷ  ＜  １．７０
但し、
φＭ１５：広角端状態における全系の焦点距離をｆＷとするとき、全系の焦点距離がｆＷの１５倍以上の中間焦点距離状態での前記開口絞りの最大開口径
φＷ：広角端状態における前記開口絞りの最大開口径
【請求項１４】
以下の条件式を満足することを特徴とする請求項１から１３のいずれか１項に記載の変倍光学系。
１．００  ≦  φＭ５／φＷ  ＜  １．４０
但し、
φＭ５：広角端状態における全系の焦点距離をｆＷとするとき、全系の焦点距離がｆＷの５倍以上８倍以下の中間焦点距離状態での前記開口絞りの最大開口径
φＷ：広角端状態における前記開口絞りの最大開口径
【請求項１５】
広角端状態から望遠端状態への変倍に際し、前記開口絞りは、広角端状態から全系の焦点距離ｆＭの中間焦点距離状態まで広角端状態の最大開口径を維持し、
以下の条件式を満足することを特徴とする請求項１から１４のいずれか１項に記載の変倍光学系。
１．５０  ＜  ｆＭ／ｆＷ  ＜  １５．００
但し、
ｆＷ：広角端状態における全系の焦点距離
【請求項１６】
前記全系の焦点距離ｆＭの中間焦点距離状態から望遠端状態への変倍に際し、前記開口絞りの最大開口径は単調に増大することを特徴とする請求項１５に記載の変倍光学系。
【請求項１７】
広角端状態から望遠端状態への変倍に際し、全系のＦナンバーは単調に増大することを特徴とする請求項１から１６のいずれか１項に記載の変倍光学系。
【請求項１８】
広角端状態から望遠端状態への変倍に際し、前記第１レンズ群は像面に対して物体側に移動することを特徴とする請求項１から１７のいずれか１項に記載の変倍光学系。
【請求項１９】
広角端状態から望遠端状態への変倍に際し、前記開口絞りは、前記第３レンズ群の少なくとも一部と一体に移動することを特徴とする請求項１から１８のいずれか１項に記載の変倍光学系。
【請求項２０】
前記開口絞りは、前記第３レンズ群の物体側に配置されることを特徴とする請求項１から１９のいずれか１項に記載の変倍光学系。
【請求項２１】
広角端状態から望遠端状態への変倍に際し、前記第３レンズ群と前記第５レンズ群は一体で移動することを特徴とする請求項１から２０のいずれか１項に記載の変倍光学系。
【請求項２２】
請求項１から２１のいずれか１項に記載の変倍光学系を有することを特徴とする光学装置。
【請求項２３】
光軸に沿って物体側から順に、正屈折力の第１レンズ群と、負屈折力の第２レンズ群と、正屈折力の第３レンズ群と、負屈折力の第４レンズ群と、正屈折力の第５レンズ群とにより実質的に５個のレンズ群からなる変倍光学系の製造方法であって、
開口絞りを前記第２レンズ群より像側に配置し、
前記第１レンズ群と前記第２レンズ群と前記第３レンズ群と前記第４レンズ群と前記第５レンズ群とを、広角端状態から望遠端状態への変倍に際し、前記第１レンズ群と前記第２レンズ群との間隔が増大可能、前記第２レンズ群と前記第３レンズ群との間隔が減少可能、前記第３レンズ群と前記第４レンズ群との間隔が変化可能、前記第４レンズ群と前記第５レンズ群との間隔が変化するように、像面に対して前記第１レンズ群は単調に物体側に移動し、前記第２レンズ群は一旦像側に移動した後物体側に移動し、前記第３レンズ群は単調に物体側に移動するように配置し、
以下の条件式を満足し、
前記第１レンズ群および前記第２レンズ群における光学面のうち少なくとも１面に反射防止膜が設けられ、反射防止膜はウェットプロセスを用いて形成された層を少なくとも１層含むように構成されていることを特徴とする変倍光学系の製造方法。
０．１７  ＜  ｆ１／ｆＴ  ＜  ０．６０
１．０３  ＜  φＴ／φＷ  ＜  １．７０
０．０３２  ＜  −ｆ２／ｆＴ  ＜  ０．０５７
但し、
ｆＴ：望遠端状態における全系の焦点距離
ｆ１：前記第１レンズ群の焦点距離
ｆ２：前記第２レンズ群の焦点距離
φＷ：広角端状態における前記開口絞りの最大開口径
φＴ：望遠端状態における前記開口絞りの最大開口径
【発明の詳細な説明】
【技術分野】
【０００１】
本発明は、変倍光学系とこれを有する光学装置、変倍光学系の製造方法に関する。
【背景技術】
【０００２】
従来、一眼レフカメラ用交換レンズなどに用いられる変倍光学系として、最も物体側のレンズ群が正屈折力を有する光学系が数多く提案されている（例えば、特許文献１参照）。また近年、このような変倍光学系に対しては、収差性能だけではなく、光学性能を損なう要因の一つであるゴーストやフレアに関する要求も厳しさを増しており、そのためレンズ面に施される反射防止膜にもより高い性能が要求され、要求に応えるべく多層膜設計技術や多層膜成膜技術も進歩を続けている（例えば、特許文献２参照）。
【先行技術文献】
【特許文献】
【０００３】
【特許文献１】特開２００８−３１９５号公報
【特許文献２】特開２０００−３５６７０４号公報
【発明の概要】
【発明が解決しようとする課題】
【０００４】
従来の変倍光学系をさらに高変倍化しようとすると、収差変動が増大し、十分に高い光学性能を得ることが困難であった。それと同時に、このような変倍光学系における光学面からは、ゴーストやフレアとなる反射光が発生しやすいという課題もあった。
【０００５】
本発明は、上記問題に鑑みてなされたものであり、収差変動を抑え、ゴーストやフレアをより低減させ、高い光学性能を有する変倍光学系とこれを有する光学装置、変倍光学系の製造方法を提供することを目的とする。
【課題を解決するための手段】
【０００６】
上記課題を解決するために、本発明は、
光軸に沿って物体側から順に、正屈折力の第１レンズ群と、負屈折力の第２レンズ群と、正屈折力の第３レンズ群と、負屈折力の第４レンズ群と、正屈折力の第５レンズ群とにより実質的に５個のレンズ群からなり、
前記第２レンズ群より像側に開口絞りを有し、
広角端状態から望遠端状態への変倍に際し、前記第１レンズ群と前記第２レンズ群との間隔は増大し、前記第２レンズ群と前記第３レンズ群との間隔は減少し、前記第３レンズ群と前記第４レンズ群との間隔は変化し、前記第４レンズ群と前記第５レンズ群との間隔は変化するように、像面に対して前記第１レンズ群は単調に物体側に移動し、前記第２レンズ群は一旦像側に移動した後物体側に移動し、前記第３レンズ群は単調に物体側に移動し、
以下の条件式を満足し、
前記第１レンズ群および前記第２レンズ群における光学面のうち少なくとも１面に反射防止膜が設けられ、反射防止膜はウェットプロセスを用いて形成された層を少なくとも１層含むように構成されていることを特徴とする変倍光学系を提供する。
０．１７  ＜  ｆ１／ｆＴ  ＜  ０．６０
１．０３  ＜  φＴ／φＷ  ＜  １．７０
０．０３２  ＜  −ｆ２／ｆＴ  ＜  ０．０５７ 
但し、
ｆＴ：望遠端状態における全系の焦点距離
ｆ１：前記第１レンズ群の焦点距離
ｆ２：前記第２レンズ群の焦点距離
φＷ：広角端状態における前記開口絞りの最大開口径
φＴ：望遠端状態における前記開口絞りの最大開口径
【０００７】
また、本発明は、前記変倍光学系を有することを特徴とする光学装置を提供する。
【０００８】
また、本発明は、
光軸に沿って物体側から順に、正屈折力の第１レンズ群と、負屈折力の第２レンズ群と、正屈折力の第３レンズ群と、負屈折力の第４レンズ群と、正屈折力の第５レンズ群とにより実質的に５個のレンズ群からなる変倍光学系の製造方法であって、
開口絞りを前記第２レンズ群より像側に配置し、
前記第１レンズ群と前記第２レンズ群と前記第３レンズ群と前記第４レンズ群と前記第５レンズ群とを、広角端状態から望遠端状態への変倍に際し、前記第１レンズ群と前記第２レンズ群との間隔が増大可能、前記第２レンズ群と前記第３レンズ群との間隔が減少可能、前記第３レンズ群と前記第４レンズ群との間隔が変化可能、前記第４レンズ群と前記第５レンズ群との間隔が変化するように、像面に対して前記第１レンズ群は単調に物体側に移動し、前記第２レンズ群は一旦像側に移動した後物体側に移動し、前記第３レンズ群は単調に物体側に移動するように配置し、
以下の条件式を満足し、
前記第１レンズ群および前記第２レンズ群における光学面のうち少なくとも１面に反射防止膜が設けられ、反射防止膜はウェットプロセスを用いて形成された層を少なくとも１層含むように構成されていることを特徴とする変倍光学系の製造方法を提供する。
０．１７  ＜  ｆ１／ｆＴ  ＜  ０．６０
１．０３  ＜  φＴ／φＷ  ＜  １．７０
０．０３２  ＜  −ｆ２／ｆＴ  ＜  ０．０５７
但し、
ｆＴ：望遠端状態における全系の焦点距離
ｆ１：前記第１レンズ群の焦点距離
ｆ２：前記第２レンズ群の焦点距離
φＷ：広角端状態における前記開口絞りの最大開口径
φＴ：望遠端状態における前記開口絞りの最大開口径
【発明の効果】
【０００９】
本発明によれば、収差変動を抑え、ゴーストやフレアをより低減させ、高い光学性能を有する変倍光学系とこれを有する光学装置、変倍光学系の製造方法を提供することができる。
【図面の簡単な説明】
【００１０】
【図１】第１実施例に係る変倍光学系のレンズ構成を示す断面図である。
【図２】第１実施例に係る変倍光学系の無限遠合焦状態での諸収差図を示し、（ａ）は広角端状態、（ｂ）は第１中間焦点距離状態、（ｃ）は第２中間焦点距離状態をそれぞれ示す。
【図３】第１実施例に係る変倍光学系の無限遠合焦状態での諸収差図を示し、（ａ）は第３中間焦点距離状態、（ｂ）は第４中間焦点距離状態、（ｃ）は望遠端状態をそれぞれ示す。
【図４】第１実施例に係る変倍光学系のレンズ構成を示す断面図であって、入射した光線が第１番目のゴースト発生面と第２番目のゴースト発生面で反射する様子の一例を説明する図である。
【図５】第２実施例に係る変倍光学系のレンズ構成を示す断面図である。
【図６】第２実施例に係る変倍光学系の無限遠合焦状態での諸収差図を示し、（ａ）は広角端状態、（ｂ）は第１中間焦点距離状態、（ｃ）は第２中間焦点距離状態をそれぞれ示す。
【図７】第２実施例に係る変倍光学系の無限遠合焦状態での諸収差図を示し、（ａ）は第３中間焦点距離状態、（ｂ）は第４中間焦点距離状態、（ｃ）は望遠端状態をそれぞれ示す。
【図８】第３実施例に係る変倍光学系のレンズ構成を示す断面図である。
【図９】第３実施例に係る変倍光学系の無限遠合焦状態での諸収差図を示し、（ａ）は広角端状態、（ｂ）は第１中間焦点距離状態、（ｃ）は第２中間焦点距離状態をそれぞれ示す。
【図１０】第３実施例に係る変倍光学系の無限遠合焦状態での諸収差図を示し、（ａ）は第３中間焦点距離状態、（ｂ）は第４中間焦点距離状態、（ｃ）は望遠端状態をそれぞれ示す。
【図１１】第４実施例に係る変倍光学系のレンズ構成を示す断面図である。
【図１２】第４実施例に係る変倍光学系の無限遠合焦状態での諸収差図を示し、（ａ）は広角端状態、（ｂ）は第１中間焦点距離状態、（ｃ）は第２中間焦点距離状態をそれぞれ示す。
【図１３】第４実施例に係る変倍光学系の無限遠合焦状態での諸収差図を示し、（ａ）は第３中間焦点距離状態、（ｂ）は第４中間焦点距離状態、（ｃ）は望遠端状態をそれぞれ示す。
【図１４】第５実施例に係る変倍光学系のレンズ構成を示す断面図である。
【図１５】第５実施例に係る変倍光学系の無限遠合焦状態での諸収差図を示し、（ａ）は広角端状態、（ｂ）は第１中間焦点距離状態、（ｃ）は第２中間焦点距離状態をそれぞれ示す。
【図１６】第５実施例に係る変倍光学系の無限遠合焦状態での諸収差図を示し、（ａ）は第３中間焦点距離状態、（ｂ）は第４中間焦点距離状態、（ｃ）は望遠端状態をそれぞれ示す。
【図１７】第１実施例に係る変倍光学系を備えたカメラの構成を示す図である。
【図１８】本願の変倍光学系の製造方法を示す図である。
【図１９】反射防止膜の層構造の一例を示す説明図である。
【図２０】反射防止膜の分光特性を示すグラフである。
【図２１】変形例に係る反射防止膜の分光特性を示すグラフである。
【図２２】変形例に係る反射防止膜の分光特性の入射角度依存性を示すグラフである。
【図２３】従来技術で作成した反射防止膜の、分光特性を示すグラフである。
【図２４】従来技術で作成した反射防止膜の、分光特性の入射角度依存性を示すグラフである。
【発明を実施するための形態】
【００１１】
以下、本願の一実施形態に係る変倍光学系について説明する。
【００１２】
本実施形態に係る変倍光学系は、光軸に沿って物体側から順に、正屈折力の第１レンズ群と、負屈折力の第２レンズ群と、正屈折力の第３レンズ群と、負屈折力の第４レンズ群と、正屈折力の第５レンズ群とを有し、第２レンズ群より像側に開口絞りを有し、広角端状態から望遠端状態への変倍に際し、第１レンズ群と第２レンズ群との間隔は増大し、第２レンズ群と第３レンズ群との間隔は減少し、第３レンズ群と第４レンズ群との間隔は変化し、第４レンズ群と第５レンズ群との間隔は変化する構成とすることで、変倍可能な光学系を実現し、広角端状態から望遠端状態まで適度に歪曲収差を補正している。
【００１３】
また、本実施形態に係る変倍光学系は、以下の条件式（１）、（２）を満足する。
（１）  ０．１７  ＜  ｆ１／ｆＴ  ＜  ０．６０
（２）  １．０３  ＜  φＴ／φＷ  ＜  １．７０
但し、ｆＴは望遠端状態における全系の焦点距離、ｆ１は第１レンズ群の焦点距離、φＷは広角端状態における開口絞りの最大開口径、φＴは望遠端状態における開口絞りの最大開口径である。
【００１４】
条件式（１）は、変倍光学系で発生する球面収差と像面湾曲を良好に補正し、高い光学性能を得るための条件式である。
【００１５】
条件式（１）の下限値を下回った場合、即ち第１レンズ群の屈折力が過度に大きくなると、望遠端状態における負の球面収差と、広角端状態における負の像面湾曲が大きく発生し、高い光学性能を得ることができない。
【００１６】
条件式（１）の上限値を上回った場合、即ち第１レンズ群の屈折力が過度に小さくなると、変倍率を維持するためには第１レンズ群を像面に対して大きく移動させる必要があり、望遠端状態における周辺光量の確保が困難となり、また望遠端状態において第２レンズ群で発生する正の球面収差補正が困難となり、高い光学性能を得ることができない。
【００１７】
なお、実施形態の効果を確実にするために、条件式（１）の下限値を０．２３とすることが好ましい。また、実施形態の効果を更に確実にするために、条件式（１）の下限値を０．２５とすることが更に好ましい。また、実施形態の効果を更に確実にするために、条件式（１）の下限値を０．２８とすることが更に好ましい。
【００１８】
また、実施形態の効果を確実にするために、条件式（１）の上限値を０．５３とすることが好ましい。また、実施形態の効果を更に確実にするために、条件式（１）の上限値を０．４８とすることが更に好ましい。また、実施形態の効果を更に確実にするために、条件式（１）の上限値を０．４３とすることが更に好ましい。
【００１９】
条件式（２）は、望遠端状態におけるＦナンバーを適度に小さく、球面収差やコマ収差を良好に補正し、高い光学性能を得るための条件式である。条件式（２）を満足することで、広角端状態から望遠端状態まで変倍する際に変化するＦナンバーの変化量を最適化し、変倍範囲全域に亘って球面収差やコマ収差の変動を抑えることが可能になる。
【００２０】
条件式（２）の下限値を下回った場合、望遠端状態における開口絞りの最大開口径が小さくなりすぎる。すると、望遠端状態におけるＦナンバーが大きくなりすぎ、広角端状態において球面収差やコマ収差が大きく発生し、高い光学性能を実現できない。
【００２１】
条件式（２）の上限値を上回った場合、望遠端状態において球面収差やコマ収差が大きく発生し、高い光学性能を実現できない。
【００２２】
なお、実施形態の効果を確実にするために、条件式（２）の下限値を１．０５とすることが好ましい。また、実施形態の効果を更に確実にするために、条件式（２）の下限値を１．０８とすることが更に好ましい。また、実施形態の効果を更に確実にするために、条件式（２）の下限値を１．１２とすることが更に好ましい。
【００２３】
また、実施形態の効果を確実にするために、条件式（２）の上限値を１．５８とすることが好ましい。また、実施形態の効果を更に確実にするために、条件式（２）の上限値を１．４５とすることが更に好ましい。
【００２４】
また、本実施形態に係る変倍光学系は、第１レンズ群および第２レンズ群における光学面のうち少なくとも１面に反射防止膜が設けられ、この反射防止膜はウェットプロセスを用いて形成された層を少なくとも１層含んでいる。このように構成することで、本実施形態にかかる変倍光学系は、物体からの光が光学面で反射されて生じるゴーストやフレアをさらに低減することができ、高い結像性能を達成することができる。
【００２５】
また、本実施形態に係る変倍光学系は、反射防止膜は多層膜であり、ウェットプロセスで形成された層は、多層膜を構成する層のうち最も表面の層であることが好ましい。このようにすれば、空気との屈折率差を小さくすることができるため、光の反射をより小さくすることが可能になり、ゴーストやフレアをさらに低減させることができる。
【００２６】
また、本実施形態に係る変倍光学系は、ウェットプロセスを用いて形成された層の屈折率をｎｄとしたとき、屈折率ｎｄが１．３０以下であることが好ましい。このようにすれば、空気との屈折率差を小さくすることができるため、光の反射をより小さくすることが可能になり、ゴーストやフレアをさらに低減させることができる。
【００２７】
また、本実施形態に係る変倍光学系は、第１レンズ群及び第２レンズ群における光学面のうち反射防止膜が設けられた光学面は、開口絞りから見て凹形状のレンズ面であることが好ましい。第１レンズ群及び第２レンズ群における光学面のうち開口絞りから見て凹形状のレンズ面にゴーストが発生し易いため、このようにすれば、ゴーストやフレアを効果的に低減させることができる。
【００２８】
また、本実施形態に係る変倍光学系では、第１レンズ群及び第２レンズ群において反射防止膜が設けられた、開口絞りから見て凹形状のレンズ面は、像面側のレンズ面であることが好ましい。第１レンズ群及び第２レンズ群における光学面のうち開口絞りから見て凹形状のレンズ面にゴーストが発生し易いため、このような光学面に反射防止膜を形成することでゴーストやフレアを効果的に低減させることができる。
【００２９】
また、本実施形態に係る変倍光学系では、第１レンズ群及び第２レンズ群において反射防止膜が設けられた、開口絞りから見て凹形状のレンズ面は、物体側のレンズ面であることが好ましい。第１レンズ群及び第２レンズ群における光学面のうち開口絞りから見て凹形状のレンズ面にゴーストが発生し易いため、このような光学面に反射防止膜を形成することでゴーストやフレアを効果的に低減させることができる。
【００３０】
また、本実施形態に係る変倍光学系は、第１レンズ群及び第２レンズ群における光学面のうち反射防止膜が設けられた光学面は、物体から見て凹形状のレンズ面であることが好ましい。このようにすれば、第１レンズ群及び第２レンズ群における光学面のうち物体から見て凹形状のレンズ面にゴーストが発生し易いため、ゴーストやフレアを効果的に低減させることができる。
【００３１】
また、本実施形態に係る変倍光学系は、第１レンズ群及び第２レンズ群における光学面のうち反射防止膜が設けられた、物体から見て凹形状のレンズ面は、第１レンズ群の最も物体側のレンズから像面側に２番目のレンズの、像面側レンズ面であることが好ましい。第１レンズ群における光学面のうち物体から見て凹形状のレンズ面にゴーストが発生し易いため、このような光学面に反射防止膜を形成することでゴーストやフレアを効果的に低減させることができる。
【００３２】
また、本実施形態に係る変倍光学系は、第１レンズ群及び第２レンズ群における光学面のうち反射防止膜が設けられた、物体から見て凹形状のレンズ面は、第２レンズ群の最も物体側のレンズから像面側に２番目のレンズの、物体側レンズ面であることが好ましい。第２レンズ群における光学面のうち物体から見て凹形状のレンズ面にゴーストが発生し易いため、このような光学面に反射防止膜を形成することでゴーストやフレアを効果的に低減させることができる。
【００３３】
また、本実施形態に係る変倍光学系は、第１レンズ群及び第２レンズ群における光学面のうち反射防止膜が設けられた、物体から見て凹形状のレンズ面は、第２レンズ群の最も物体側のレンズから像面側に３番目のレンズの、像面側レンズ面であることが好ましい。第２レンズ群における光学面のうち物体から見て凹形状のレンズ面にゴーストが発生し易いため、このような光学面に反射防止膜を形成することでゴーストやフレアを効果的に低減させることができる。
【００３４】
また、本実施形態に係る変倍光学系は、第１レンズ群及び第２レンズ群における光学面のうち反射防止膜が設けられた、物体から見て凹形状のレンズ面は、第２レンズ群の最も物体側のレンズから像面側に４番目のレンズの、物体側レンズ面であることが好ましい。第２レンズ群における光学面のうち物体から見て凹形状のレンズ面にゴーストが発生し易いため、このような光学面に反射防止膜を形成することでゴーストやフレアを効果的に低減させることができる。
【００３５】
また、本実施形態に係る変倍光学系では、反射防止膜は、ウェットプロセスに限らず、ドライプロセス等により形成しても良い。この際、反射防止膜は屈折率が１．３０以下となる層を少なくとも１層含むようにすることが好ましい。反射防止膜が、屈折率が１．３０以下となる層を少なくとも１層含むようにすることで、反射防止膜をドライプロセス等で形成しても、ウェットプロセスを用いた場合と同様の効果を得ることができる。なおこの時、屈折率が１．３０以下になる層は、多層膜を構成する層のうち最も表面側の層であることが好ましい。
【００３６】
また、本実施形態に係る変倍光学系は、以下の条件式（３）を満足することが望ましい。
（３）  １．０２  ＜  φＭ１０／φＷ  ＜  １．７０
但し、φＭ１０は広角端状態における全系の焦点距離をｆＷとするとき、全系の焦点距離がｆＷの１０倍以上の中間焦点距離状態での開口絞りの最大開口径、φＷは広角端状態における前記開口絞りの最大開口径である。
【００３７】
条件式（３）は、変倍光学系全系の焦点距離がｆＷの１０倍以上の中間焦点距離状態の変倍領域において、変倍光学系に十分なＦ値を持たせ、高い光学性能を実現するための条件式である。
【００３８】
条件式（３）の下限値を下回った場合、変倍光学系全系の焦点距離がｆＷの１０倍以上の中間焦点距離状態の変倍領域において、開口絞りの最大開口径が小さくなりすぎる。すると、この変倍領域におけるＦナンバーが大きくなりすぎ、広角端状態において球面収差やコマ収差が大きく発生し、高い光学性能を実現できない。
【００３９】
条件式（３）の上限値を上回った場合、変倍光学系全系の焦点距離がｆＷの１０倍以上の中間焦点距離状態の変倍領域において、球面収差やコマ収差が大きく発生し、高い光学性能を実現できない。
【００４０】
なお、実施形態の効果を確実にするために、条件式（３）の下限値を１．０３とすることが好ましい。また、実施形態の効果を更に確実にするために、条件式（３）の下限値を１．０６とすることが更に好ましい。
【００４１】
また、実施形態の効果を確実にするために、条件式（３）の上限値を１．６０とすることが好ましい。また、実施形態の効果を更に確実にするために、条件式（３）の上限値を１．５５とすることが更に好ましい。また、実施形態の効果を更に確実にするために、条件式（３）の上限値を１．４０とすることが更に好ましい。
【００４２】
また、本実施形態に係る変倍光学系は、以下の条件式（４）を満足することが望ましい。
（４）  １．０２  ＜  φＭ１５／φＷ  ＜  １．７０
但し、φＭ１５は広角端状態における全系の焦点距離をｆＷとするとき、全系の焦点距離がｆＷの１５倍以上の中間焦点距離状態での開口絞りの最大開口径、φＷは広角端状態における開口絞りの最大開口径である。
【００４３】
条件式（４）は、変倍光学系全系の焦点距離がｆＷの１５倍以上の中間焦点距離状態の変倍領域において、変倍光学系に十分なＦ値を持たせ、高い光学性能を実現するための条件式である。
【００４４】
条件式（４）の下限値を下回った場合、変倍光学系全系の焦点距離がｆＷの１５倍以上の中間焦点距離状態の変倍領域において、開口絞りの最大開口径が小さくなりすぎる。すると、この変倍領域におけるＦナンバーが大きくなりすぎ、広角端状態において球面収差やコマ収差が大きく発生し、高い光学性能を実現できない。
【００４５】
条件式（４）の上限値を上回った場合、変倍光学系全系の焦点距離がｆＷの１５倍以上の中間焦点距離状態の変倍領域において、球面収差やコマ収差が大きく発生し、高い光学性能を実現できない。
【００４６】
なお、実施形態の効果を確実にするために、条件式（４）の下限値を１．０４とすることが好ましい。また、実施形態の効果を更に確実にするために、条件式（４）の下限値を１．０７とすることが更に好ましい。
【００４７】
また、実施形態の効果を確実にするために、条件式（４）の上限値を１．６０とすることが好ましい。また、実施形態の効果を更に確実にするために、条件式（４）の上限値を１．５５とすることが更に好ましい。また、実施形態の効果を更に確実にするために、条件式（４）の上限値を１．４０とすることが更に好ましい。
【００４８】
また、本実施形態に係る変倍光学系は、以下の条件式（５）を満足することが望ましい。
（５）  １．００  ≦  φＭ５／φＷ  ＜  １．４０
但し、φＭ５は広角端状態における全系の焦点距離をｆＷとするとき、全系の焦点距離がｆＷの５倍以上８倍以下の中間焦点距離状態での開口絞りの最大開口径、φＷは広角端状態における開口絞りの最大開口径である。
【００４９】
条件式（５）は、全系の焦点距離がｆＷの５倍以上８倍以下の中間焦点距離の変倍領域において、高い光学性能を実現するための条件式である。
【００５０】
条件式（５）の下限値を下回った場合、全系の焦点距離がｆＷの５倍以上８倍以下の中間焦点距離の変倍領域において、開口絞りの最大開口径が小さくなりすぎる。すると、この変倍領域におけるＦナンバーが大きくなりすぎ、広角端状態において球面収差やコマ収差が大きく発生し、高い光学性能を実現できない。
【００５１】
条件式（５）の上限値を上回った場合、全系の焦点距離がｆＷの５倍以上８倍以下の中間焦点距離の変倍領域において、球面収差やコマ収差が大きく発生し、高い光学性能を実現できない。
【００５２】
なお、実施形態の効果を確実にするために、条件式（５）の下限値を１．０１とすることが好ましい。また、実施形態の効果を更に確実にするために、条件式（５）の下限値を１．０３とすることが更に好ましい。
【００５３】
また、実施形態の効果を確実にするために、条件式（５）の上限値を１．３２とすることが好ましい。また、実施形態の効果を更に確実にするために、条件式（５）の上限値を１．２５とすることが更に好ましい。
【００５４】
また、本実施形態に係る変倍光学系は、広角端状態から望遠端状態への変倍に際し、開口絞りは、広角端状態から全系の焦点距離ｆＭの中間焦点距離状態まで広角端状態の最大開口径を維持し、以下の条件式（６）を満足することが望ましい。
（６）  １．５０  ＜  ｆＭ／ｆＷ  ＜  １５．００
但し、ｆＷは広角端状態における全系の焦点距離である。
【００５５】
条件式（６）は、任意の中間焦点距離の変倍領域において、高い光学性能を実現するための条件式である。
【００５６】
条件式（６）の下限値を下回った場合、任意の中間焦点距離の変倍領域において、球面収差やコマ収差が大きく発生し、高い光学性能を実現できない。
【００５７】
条件式（６）の上限値を上回った場合、任意の中間焦点距離の変倍領域において、Ｆナンバーが大きくなりすぎ、また広角端状態において球面収差やコマ収差が大きく発生し、高い光学性能を実現できない。
【００５８】
なお、実施形態の効果を確実にするために、条件式（６）の下限値を１．８０とすることが好ましい。また、実施形態の効果を更に確実にするために、条件式（６）の下限値を２．３０とすることが更に好ましい。
【００５９】
また、実施形態の効果を確実にするために、条件式（６）の上限値を１２.００とすることが好ましい。また、実施形態の効果を更に確実にするために、条件式（６）の上限値を８.５０とすることが更に好ましい。
【００６０】
また、本実施形態に係る変倍光学系は、全系の焦点距離ｆＭの中間焦点距離状態から望遠端状態への変倍に際し、開口絞りの最大開口径は単調に増大することが望ましい。なお、開口絞りの最大開口径とは、各焦点距離状態における最大の開口絞り径である。
【００６１】
この構成とすることで、変倍光学系のメカニカルな構成を簡略化でき、また全系の焦点距離ｆＭの中間焦点距離状態から望遠端状態までの変倍領域において、球面収差の変動を抑えることが可能となり、高い光学性能を実現できる。
【００６２】
また、本実施形態に係る変倍光学系は、以下の条件式（７）を満足することが望ましい。
（７）  ０．０３２  ＜  −ｆ２／ｆＴ  ＜  ０．０６４
但し、ｆ２は第２レンズ群の焦点距離、ｆＴは望遠端状態における全系の焦点距離である。
【００６３】
条件式（７）は、広角端状態から望遠端状態への変倍に際し、第２レンズ群で発生する収差変動を抑え、高い光学性能を実現するための条件式である。
【００６４】
条件式（７）の下限値を下回った場合、第２レンズ群の屈折力が過度に大きくなる。すると広角端状態から望遠端状態への変倍時、球面収差や非点収差の変動が大きく発生し、高い光学性能を実現できない。
【００６５】
条件式（７）の上限値を上回った場合、第２レンズ群の屈折力が過度に小さくなり、第２レンズ群の移動量が増大する。すると広角端状態から望遠端状態への変倍時、第２レンズ群で発生する球面収差や非点収差変動を抑えることが困難となり、高い光学性能を実現できない。
【００６６】
なお、実施形態の効果を確実にするために、条件式（７）の下限値を０．０３８とすることが好ましい。また、実施形態の効果を更に確実にするために、条件式（７）の下限値を０．０４２とすることが更に好ましい。
【００６７】
また、実施形態の効果を確実にするために、条件式（７）の上限値を０．０６１とすることが好ましい。また、実施形態の効果を更に確実にするために、条件式（７）の上限値を０．０５７とすることが更に好ましい。
【００６８】
また、本実施形態に係る変倍光学系は、広角端状態から望遠端状態への変倍に際し、全系のＦナンバーは単調に増大することが望ましい。
【００６９】
この構成とすることで、広角端状態から望遠端状態への変倍に際して、絞り近傍のレンズ群、例えば第３レンズ群などを通る軸上光線高の過度な増大を抑え、これに伴って球面収差などの変動を抑えることが可能となり、高い光学性能を実現できる。
【００７０】
また、本実施形態に係る変倍光学系は、広角端状態から望遠端状態への変倍に際し、第１レンズ群は像面に対して物体側に移動することが望ましい。
【００７１】
この構成とすることで、第１レンズ群の径を小型化でき、また広角端状態における第１レンズ群を通過する軸外光束の光軸からの高さを抑えて像面湾曲や非点収差などの変倍時における変動を抑えることができる。
【００７２】
また、本実施形態に係る変倍光学系は、広角端状態から望遠端状態への変倍に際し、開口絞りは、第３レンズ群の少なくとも一部と一体に移動することが望ましい。
【００７３】
この構成とすることで、変倍光学系のメカニカルな構成を簡略化でき、また球面収差の変動を抑えることが可能となり、高い光学性能を実現できる。
【００７４】
また、本実施形態に係る変倍光学系は、開口絞りは、第３レンズ群の物体側に配置されることが望ましい。
【００７５】
この構成とすることで、第１レンズ群の径を小型化でき、また広角端状態における第１レンズ群を通過する軸外光束の光軸からの高さを抑えて像面湾曲や非点収差などの変倍時における変動を抑えることができる。
【００７６】
また、本実施形態に係る変倍光学系は、広角端状態から望遠端状態への変倍に際し、第３レンズ群と第５レンズ群は一体で移動することが望ましい。
【００７７】
この構成とすることで、第３レンズ群と第５レンズ群は一体で構成できるようになり、製造誤差による第３レンズ群から第５レンズ群間の相互偏心量を抑え、第３レンズ群から第５レンズ群間で発生する偏心コマ収差の発生を抑えることが可能になり高い光学性能を実現できる。
【００７８】
（実施例）
以下、本実施形態に係る各実施例について図面を参照しつつ説明する。
【００７９】
（第１実施例）
図１は、第１実施例に係る変倍光学系のレンズ構成を示す断面図である。
【００８０】
図１に示すように、第１実施例に係る変倍光学系は、光軸に沿って物体側から順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５とから構成される。
【００８１】
広角端状態Ｗから望遠端状態Ｔへの変倍に際し、第１レンズ群Ｇ１と第２レンズ群Ｇ２との間隔は増大し、第２レンズ群Ｇ２と第３レンズ群Ｇ３との間隔は減少するように、像面Ｉに対して、第１レンズ群Ｇ１は単調に物体側へ移動し、第２レンズ群Ｇ２は第１中間焦点距離状態Ｍ１まで像側へ移動し、第１中間焦点距離状態Ｍ１から望遠端状態Ｔまでは物体側へ移動し、第３レンズ群Ｇ３は単調に物体側へ移動する。さらに、第３レンズ群Ｇ３と第４レンズ群Ｇ４との間隔は増大し、第４レンズ群Ｇ４と第５レンズ群Ｇ５との間隔は減少するように、第４レンズ群Ｇ４と第５レンズ群Ｇ５は像面Ｉに対して単調に物体側へ移動する。また、第３レンズ群Ｇ３と第５レンズ群Ｇ５は、像面Ｉに対して一体で移動する。
【００８２】
開口絞りＳは、第２レンズ群Ｇ２の像側にある第３レンズ群Ｇ３の最も物体側に配置され、第３レンズ群Ｇ３と一体で構成される。また、広角端状態Ｗから望遠端状態Ｔへの変倍に際し、開口絞りＳは、広角端状態Ｗから第２中間焦点距離状態Ｍ２まで広角端状態Ｗの最大開口径を維持し、第２中間焦点距離状態Ｍ２から望遠端状態Ｔまでは最大開口径が単調に増大する。
【００８３】
第１レンズ群Ｇ１は、光軸に沿って物体側から順に、物体側に凸面を向けた負メニスカスレンズＬ１１と両凸形状の正レンズＬ１２との接合レンズと、両凸形状の正レンズＬ１３とから構成されている。
【００８４】
第２レンズ群Ｇ２は、光軸に沿って物体側から順に、物体側に凸面を向けた負メニスカスレンズＬ２１と、両凹形状の負レンズＬ２２と、両凸形状の正レンズＬ２３と、両凹形状の負レンズＬ２４と両凸形状の正レンズＬ２５との接合レンズとから構成されている。第２レンズ群Ｇ２の最も物体側に位置する負メニスカスレンズＬ２１は、物体側のレンズ面に樹脂層を設けて非球面を形成した複合型非球面レンズである。
【００８５】
第３レンズ群Ｇ３は、光軸に沿って物体側から順に、両凸形状の正レンズＬ３１と、両凸形状の正レンズＬ３２と、両凸形状の正レンズＬ３３と物体側に凹面を向けた負メニスカスレンズＬ３４との接合レンズとから構成されている。
【００８６】
第４レンズ群Ｇ４は、光軸に沿って物体側から順に、両凹形状の負レンズＬ４１と物体側に凸面を向けた正メニスカスレンズＬ４２との接合レンズと、物体側に凹面を向けた負メニスカスレンズＬ４３とから構成されている。第４レンズ群Ｇ４の最も物体側に位置する両凹形状の負レンズＬ４１は、物体側のレンズ面を非球面形状としたガラスモールド非球面レンズである。
【００８７】
第５レンズ群Ｇ５は、光軸に沿って物体側から順に、物体側に凹面を向けた正メニスカスレンズＬ５１と、両凸形状の正レンズＬ５２と、両凹形状の負レンズＬ５３と両凸形状の正レンズＬ５４との接合レンズとから構成されている。第５レンズ群Ｇ５の最も物体側に位置する正メニスカスレンズＬ５１は、物体側のレンズ面を非球面形状としたガラスモールド非球面レンズである。両凸形状の正レンズＬ５４から射出した光線は像面Ｉに結像する。
【００８８】
像面Ｉは、不図示の撮像素子上に形成され、該撮像素子はＣＣＤやＣＭＯＳ等から構成されている（以降の実施例についても同様である）。
【００８９】
本第１実施例に係る変倍光学系は、第２レンズ群Ｇ２の負メニスカスレンズＬ２１の像面側レンズ面と、両凹形状の負レンズＬ２２の物体側レンズ面に、後述する反射防止膜が形成されている。
【００９０】
以下の表１に第１実施例に係る変倍光学系の諸元値を掲げる。
【００９１】
表中の（面データ）において、物面は物体面、面番号は物体側からのレンズ面の番号、ｒは曲率半径、ｄは面間隔、ｎｄはｄ線（波長λ＝５８７．６ｎｍ）における屈折率、νｄはｄ線（波長λ＝５８７．６ｎｍ）におけるアッベ数、（可変）は可変面間隔、（絞り）は開口絞りＳ、像面は像面Ｉをそれぞれ表している。なお、空気の屈折率ｎｄ＝１．００００００は記載を省略している。また、曲率半径ｒ欄の「∞」は平面を示している。
【００９２】
（非球面データ）において、非球面は以下の式で表される。
Ｘ（ｙ）＝（ｙ２/ｒ）/［１＋［１−κ（ｙ２/ｒ２）］１/２］
＋Ａ４×ｙ４＋Ａ６×ｙ６＋Ａ８×ｙ８＋Ａ１０×ｙ１０
ここで、光軸に垂直な方向の高さをｙ、高さｙにおける光軸方向の変位量（各非球面の頂点の接平面から各非球面までの光軸に沿った距離）をＸ（ｙ）、基準球面の曲率半径（近軸曲率半径）をｒ、円錐係数をκ、ｎ次の非球面係数をＡｎとする。なお、「E-n」は「×10−ｎ」を示し、例えば「1.234E-05」は「1.234×10−５」を示す。また、各非球面は、（面データ）において、面番号の右側に「＊」を付して示している。
【００９３】
（各種データ）において、ズーム比は変倍光学系の変倍比、Ｗは広角端状態、Ｍ１は第１中間焦点距離状態、Ｍ２は第２中間焦点距離状態、Ｍ３は第３中間焦点距離状態、Ｍ４は第４中間焦点距離状態、Ｔは望遠端状態、ｆは全系の焦点距離、ＦＮＯはＦナンバー、ωは半画角（単位：「°」）、Ｙは像高、ＴＬは無限遠合焦状態における第１レンズ群Ｇ１の最も物体側の面から像面Ｉまでのレンズ系全長、Ｂｆはバックフォーカス、φは最大の開口絞り径、ｄｉは面番号ｉでの可変面間隔値をそれぞれ表している。第４中間焦点距離状態Ｍ４は、広角端状態Ｗの焦点距離の１５倍を越えた焦点距離を有している。
【００９４】
（ズームレンズ群データ）は、各レンズ群の始面番号とレンズ群の焦点距離をそれぞれ示す。
【００９５】
（条件式対応値）は、各条件式の対応値をそれぞれ示す。
【００９６】
なお、以下の全ての諸元値において、掲載されている焦点距離ｆ、曲率半径ｒ、面間隔ｄその他の長さ等は、特記の無い場合一般に「ｍｍ」が使われるが、光学系は比例拡大または比例縮小しても同等の光学性能が得られるので、これに限られるものではない。また、単位は「ｍｍ」に限定されること無く他の適当な単位を用いることもできる。さらに、これらの記号の説明は、以降の他の実施例においても同様とし説明を省略する。
【００９７】
（表１）第１実施例
（面データ）
面番号  r         d         nd          νd
物面    ∞        ∞
1    205.09180    2.00000    1.882997    40.76 
2     67.52420    9.07190    1.456000    91.20 
3   -361.42710    0.10000 
4     70.10040    6.86700    1.603001    65.46 
5  -2470.83790 （可変） 
6*    84.76870    0.15000    1.553890    38.09 
7     73.93750    1.20000    1.834807    42.72 
8     17.03670    6.46970 
9    -49.48220    1.00000    1.816000    46.62 
10    52.14060    0.15000 
11    31.61490    5.45080    1.761820    26.56 
12   -44.44820    1.19350 
13   -25.13580    1.00000    1.816000    46.62 
14    64.50360    2.42190    1.808090    22.79 
15  -166.54310 （可変）
16（絞り） ∞     1.00000 
17    63.10220    3.49130    1.593190    67.87 
18   -50.22150    0.10000 
19    58.68260    2.72200    1.487490    70.41 
20  -121.43450    0.10000 
21    48.64320    4.10420    1.487490    70.41 
22   -34.50080    1.00000    1.808090    22.79 
23  -205.15990 （可変） 
24*  -66.96860    1.00000    1.693501    53.20 
25    26.57120    2.15810    1.761820    26.56 
26    63.33840    4.78730 
27   -24.70410    1.00000    1.729157    54.66 
28   -74.86360 （可変） 
29* -569.79420    3.96090    1.589130    61.16 
30   -23.53500    0.10000 
31    37.14850    5.00600    1.487490    70.41 
32   -45.19690    1.71640 
33  -107.03630    1.00000    1.882997    40.76 
34    23.36210    4.50160    1.548141    45.79 
35  -637.55850 (Bf) 
像面 ∞
（非球面データ）
第6面
κ ＝  1.0000
A4 ＝  3.61880E-06
A6 ＝ -6.10680E-09
A8 ＝ -4.67380E-12
A10 ＝ 5.77660E-14
第24面
κ ＝  1.0000
A4 ＝  3.81940E-06
A6 ＝ -1.72450E-09
A8 ＝  0.00000E+00
A10 ＝ 0.00000E+00
第29面
κ ＝  1.0000
A4 ＝ -1.63630E-05
A6 ＝  8.94380E-09
A8 ＝ -2.98150E-11
A10 ＝ 2.87630E-14
（各種データ）
ズーム比 15.71
Ｗ     Ｍ１     Ｍ２      Ｍ３      Ｍ４       Ｔ
f =  18.56080 27.61236 50.16122 104.15546 280.42469 291.57422
FNO = 3.60018  4.14587  5.56795   5.60084   5.86110   5.87404
ω = 38.95554 26.62942 15.36461   7.45367   2.81770   2.71157
Y =  14.20    14.20    14.20     14.20     14.20     14.20
TL =163.30   170.24   188.45    255.60    252.27    252.97
Bf = 39.15242 46.48061 63.58078  70.61280  82.17689  82.77641
φ = 16.20    16.20    16.20     18.00     19.80     19.90
d5    2.14670 11.21590 21.46790  55.86030  79.96320  80.53690
d15  34.33830 24.88030 15.73730  11.46250   2.46860   2.00000
d23   3.38750  5.60850  9.43760  10.66930  11.77830  11.83690
d28   9.44940  7.22840  3.39920   2.16760   1.05860   1.00000
（ズームレンズ群データ）
群        始面          焦点距離
１          １        １２２．１０４０６
２          ６        −１５．８６６５４
３        １６          ２６．５６６９４
４        ２４        −２４．００１４７
５        ２９          ３３．８１７９１
（条件式対応値）
（１）  ｆ１／ｆＴ＝０．４１９
（２）  φＴ／φＷ＝１．２２８
（３）  φＭ１０／φＷ＝１．２２２  （φＭ１０は第４中間焦点距離状態Ｍ４の値）
（４）  φＭ１５／φＷ＝１．２２２  （φＭ１５は第４中間焦点距離状態Ｍ４の値）
（５）  φＭ５／φＷ＝１．１１１  （φＭ５は第３中間焦点距離状態Ｍ３の値）
（６）  ｆＭ／ｆＷ＝２．７０３  （ｆＭは第２中間焦点距離状態Ｍ２の値）
（７）  −ｆ２／ｆＴ＝０．０５４４
【００９８】
図２は、第１実施例に係る変倍光学系の無限遠合焦状態での諸収差図を示し、（ａ）は広角端状態、（ｂ）は第１中間焦点距離状態、（ｃ）は第２中間焦点距離状態をそれぞれ示す。
【００９９】
図３は、第１実施例に係る変倍光学系の無限遠合焦状態での諸収差図を示し、（ａ）は第３中間焦点距離状態、（ｂ）は第４中間焦点距離状態、（ｃ）は望遠端状態をそれぞれ示す。
【０１００】
各収差図において、ＦＮＯはＦナンバー、Ａは半画角（単位：「°」）を示す。また、ｄはｄ線（波長５８７．６ｎｍ）、ｇはｇ線（波長４３５．８ｎｍ）に対する諸収差、記載のないものはｄ線に対する諸収差をそれぞれ表す。非点収差図において、実線はサジタル像面、破線はメリディオナル像面を示す。
【０１０１】
なお、以降の実施例においても同様の記号を使用し、以降の説明を省略する。
【０１０２】
各収差図から、第１実施例に係る変倍光学系は、諸収差が良好に補正され、高い光学性能を有していることがわかる。
【０１０３】
図４において、物体側からの光線ＢＭが図示のように変倍光学系に入射すると、両凹形状の負レンズＬ２２における物体側のレンズ面（第１番目のゴースト発生面でありその面番号は９）で反射し、その反射光は負メニスカスレンズＬ２１における像側のレンズ面（第２番目のゴースト発生面でありその面番号は８）で再度反射して像面Ｉに到達し、ゴーストを発生させてしまう。なお、第１番目のゴースト発生面９は、物体から見て凹形状のレンズ面、第２番目のゴースト発生面８は開口絞りから見て凹形状のレンズ面である。このような面に、より広い波長範囲で広入射角に対応した反射防止膜を形成することで、ゴーストを効果的に低減させることができる。
【０１０４】
（第２実施例）
図５は、第２実施例に係る変倍光学系の構成を示す断面図である。
【０１０５】
図５に示すように、第２実施例に係る変倍光学系は、光軸に沿って物体側から順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５とから構成される。
【０１０６】
広角端状態Ｗから望遠端状態Ｔへの変倍に際し、第１レンズ群Ｇ１と第２レンズ群Ｇ２との間隔は増大し、第２レンズ群Ｇ２と第３レンズ群Ｇ３との間隔は減少するように、像面Ｉに対して、第１レンズ群Ｇ１は単調に物体側へ移動し、第２レンズ群Ｇ２は第１中間焦点距離状態Ｍ１まで像側へ移動し、第１中間焦点距離状態Ｍ１から望遠端状態Ｔまでは物体側へ移動し、第３レンズ群Ｇ３は単調に物体側へ移動する。さらに、第３レンズ群Ｇ３と第４レンズ群Ｇ４との間隔は増大し、第４レンズ群Ｇ４と第５レンズ群Ｇ５との間隔は減少するように、第４レンズ群Ｇ４と第５レンズ群Ｇ５は像面Ｉに対して単調に物体側へ移動する。また、第３レンズ群Ｇ３と第５レンズ群Ｇ５は、像面Ｉに対して一体で移動する。
【０１０７】
開口絞りＳは、第２レンズ群Ｇ２の像側にある第３レンズ群Ｇ３の最も物体側に配置され、第３レンズ群Ｇ３と一体で構成される。また、広角端状態Ｗから望遠端状態Ｔへの変倍に際し、開口絞りＳは、広角端状態Ｗから第２中間焦点距離状態Ｍ２まで広角端状態Ｗの最大開口径を維持し、第２中間焦点距離状態Ｍ２から望遠端状態Ｔまでは最大開口径が単調に増大する。
【０１０８】
第１レンズ群Ｇ１は、光軸に沿って物体側から順に、物体側に凸面を向けた負メニスカスレンズＬ１１と両凸形状の正レンズＬ１２との接合レンズと、物体側に凸面を向けた正メニスカスレンズＬ１３とから構成されている。
【０１０９】
第２レンズ群Ｇ２は、光軸に沿って物体側から順に、物体側に凸面を向けた負メニスカスレンズＬ２１と、両凹形状の負レンズＬ２２と、両凸形状の正レンズＬ２３と、両凹形状の負レンズＬ２４と両凸形状の正レンズＬ２５との接合レンズとから構成されている。第２レンズ群Ｇ２の最も物体側に位置する負メニスカスレンズＬ２１は、物体側のレンズ面に樹脂層を設けて非球面を形成した複合型非球面レンズである。
【０１１０】
第３レンズ群Ｇ３は、光軸に沿って物体側から順に、両凸形状の正レンズＬ３１と、両凸形状の正レンズＬ３２と、両凸形状の正レンズＬ３３と物体側に凹面を向けた負メニスカスレンズＬ３４との接合レンズとから構成されている。
【０１１１】
第４レンズ群Ｇ４は、光軸に沿って物体側から順に、両凹形状の負レンズＬ４１と物体側に凸面を向けた正メニスカスレンズＬ４２との接合レンズと、物体側に凹面を向けた負メニスカスレンズＬ４３とから構成されている。第４レンズ群Ｇ４の最も物体側に位置する両凹形状の負レンズＬ４１は、物体側のレンズ面に樹脂層を設けて非球面を形成した複合型非球面レンズである。
【０１１２】
第５レンズ群Ｇ５は、光軸に沿って物体側から順に、物体側に凹面を向けた正メニスカスレンズＬ５１と、両凸形状の正レンズＬ５２と、両凹形状の負レンズＬ５３と両凸形状の正レンズＬ５４との接合レンズとから構成されている。第５レンズ群Ｇ５の最も物体側に位置する正メニスカスレンズＬ５１は、物体側のレンズ面を非球面形状としたガラスモールド非球面レンズである。両凸形状の正レンズＬ５４から射出した光線は像面Ｉに結像する。
【０１１３】
本第２実施例に係る変倍光学系は、第１レンズ群Ｇ１の正メニスカスレンズＬ１３の物体側レンズ面と、第２レンズ群Ｇ２の両凸形状の正レンズＬ２３の像面側レンズ面に、後述する反射防止膜が形成されている。
【０１１４】
以下の表２に第２実施例に係る変倍光学系の諸元値を掲げる。
【０１１５】
（表２）第２実施例
（面データ）
面番号   r           d         nd         νd
物面     ∞          ∞
1    186.59960    2.20000    1.834000    37.17 
2     69.08900    8.80000    1.497820    82.56 
3   -494.44545    0.10000 
4     73.40222    6.45000    1.593190    67.87 
5   2016.71160 （可変） 
6*    84.85000    0.10000    1.553890    38.09 
7     74.02192    1.20000    1.834810    42.72 
8     17.09747    6.95000 
9    -37.97970    1.00000    1.816000    46.63 
10    77.67127    0.15000 
11    36.26557    5.30000    1.784720    25.68 
12   -36.26557    0.80000 
13   -25.69642    1.00000    1.816000    46.63 
14    66.08300    2.05000    1.808090    22.79 
15  -666.70366 （可変） 
16（絞り） ∞     1.00000 
17    68.30727    3.40000    1.593190    67.87 
18   -47.99596    0.10000 
19    68.52367    2.45000    1.487490    70.45 
20  -136.98392    0.10000 
21    46.52671    4.20000    1.487490    70.45 
22   -36.16400    1.00000    1.808090    22.79 
23  -202.95328 （可変） 
24*  -55.09840    0.20000    1.553890    38.09 
25   -57.24715    0.90000    1.696800    55.52 
26    28.15100    2.15000    1.728250    28.46 
27    87.70856    4.35000 
28   -26.69877    1.00000    1.729160    54.66 
29   -76.47707 （可変） 
30* -333.89500    4.65000    1.589130    61.18 
31   -24.64395    0.10000 
32    31.19625    5.85000    1.487490    70.45 
33   -43.38887    1.45000 
34  -109.71645    1.00000    1.883000    40.77 
35    20.29920    5.30000    1.548140    45.79 
36  -808.81321 (Bf) 
像面 ∞
（非球面データ）
第6面
κ ＝  1.0000
A4 ＝  3.13350E-06
A6 ＝  4.73080E-10
A8 ＝ -3.40500E-11
A10 ＝ 1.16620E-13
第24面
κ ＝  1.0000
A4 ＝  5.24030E-06
A6 ＝ -2.00730E-09
A8 ＝  0.00000E+00
A10 ＝ 0.00000E+00
第30面
κ ＝  1.0000
A4 ＝ -1.54020E-05
A6 ＝  1.69500E-09
A8 ＝  1.34490E-11
A10 ＝-2.07220E-13
（各種データ）
ズーム比 15.72
Ｗ     Ｍ１     Ｍ２     Ｍ３      Ｍ４       Ｔ
f =  18.52363 27.14081 48.93259 104.52143 279.97293 291.21725
FNO = 3.60558  4.11071  5.47222   5.69344   5.89216   5.89616
ω = 38.89095 26.92688 15.68138   7.41882   2.81880   2.71146
Y =  14.20    14.20    14.20     14.20     14.20     14.20
TL =164.74   171.75   188.90    225.49    250.78    251.39
Bf = 39.44250 46.21988 62.15925  71.57530  82.59962  83.10134
φ = 15.80    15.80    15.80     17.50     19.50     19.60
d5    2.15700 11.18630 21.31960  53.25650  76.35561  76.94960
d15  33.80140 24.99560 16.07940  11.31350   2.48461   2.00000
d23   3.45650  5.73730  9.97480  11.60170  12.99717  13.04330
d29  10.58680  8.30600  4.06850   2.44160   1.04613   1.00000
（ズームレンズ群データ）
群        始面          焦点距離
１          １        １１８．９６９１０
２          ６        −１５．６２５４２
３        １６          ２７．１７４６３
４        ２４        −２５．４１５０６
５        ３０          ３４．３９０２２
（条件式対応値）
（１）  ｆ１／ｆＴ＝０．４０９
（２）  φＴ／φＷ＝１．２４１
（３）  φＭ１０／φＷ＝１．２３４  （φＭ１０は第４中間焦点距離状態Ｍ４の値）
（４）  φＭ１５／φＷ＝１．２３４  （φＭ１５は第４中間焦点距離状態Ｍ４の値）
（５）  φＭ５／φＷ＝１．１０８  （φＭ５は第３中間焦点距離状態Ｍ３の値）
（６）  ｆＭ／ｆＷ＝２．６４２  （ｆＭは第２中間焦点距離状態Ｍ２の値）
（７）  −ｆ２／ｆＴ＝０．０５３７
【０１１６】
図６は、第２実施例に係る変倍光学系の無限遠合焦状態での諸収差図を示し、（ａ）は広角端状態、（ｂ）は第１中間焦点距離状態、（ｃ）は第２中間焦点距離状態をそれぞれ示す。
【０１１７】
図７は、第２実施例に係る変倍光学系の無限遠合焦状態での諸収差図を示し、（ａ）は第３中間焦点距離状態、（ｂ）は第４中間焦点距離状態、（ｃ）は望遠端状態をそれぞれ示す。
【０１１８】
各収差図から、第２実施例に係る変倍光学系は、諸収差が良好に補正され、高い光学性能を有していることがわかる。
【０１１９】
（第３実施例）
図８は、第３実施例に係る変倍光学系の構成を示す断面図である。
【０１２０】
図８に示すように、第３実施例に係る変倍光学系は、光軸に沿って物体側から順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５とから構成される。
【０１２１】
広角端状態Ｗから望遠端状態Ｔへの変倍に際し、第１レンズ群Ｇ１と第２レンズ群Ｇ２との間隔は増大し、第２レンズ群Ｇ２と第３レンズ群Ｇ３との間隔は減少するように、像面Ｉに対して、第１レンズ群Ｇ１は単調に物体側へ移動し、第２レンズ群Ｇ２は第１中間焦点距離状態Ｍ１まで像側へ移動し、第１中間焦点距離状態Ｍ１から望遠端状態Ｔまでは物体側へ移動し、第３レンズ群Ｇ３は単調に物体側へ移動する。さらに、第３レンズ群Ｇ３と第４レンズ群Ｇ４との間隔は増大し、第４レンズ群Ｇ４と第５レンズ群Ｇ５との間隔は減少するように、第４レンズ群Ｇ４と第５レンズ群Ｇ５は像面Ｉに対して単調に物体側へ移動する。また、第３レンズ群Ｇ３と第５レンズ群Ｇ５は、像面Ｉに対して一体で移動する。
【０１２２】
開口絞りＳは、第２レンズ群Ｇ２の像側にある第３レンズ群Ｇ３の最も物体側に配置され、第３レンズ群Ｇ３と一体で構成される。また、広角端状態Ｗから望遠端状態Ｔへの変倍に際し、開口絞りＳは、広角端状態Ｗから第３中間焦点距離状態Ｍ３まで広角端状態Ｗの最大開口径を維持し、第３中間焦点距離状態Ｍ３から望遠端状態Ｔまでは最大開口径が単調に増大する。
【０１２３】
第１レンズ群Ｇ１は、光軸に沿って物体側から順に、物体側に凸面を向けた負メニスカスレンズＬ１１と両凸形状の正レンズＬ１２との接合レンズと、物体側に凸面を向けた正メニスカスレンズＬ１３とから構成されている。
【０１２４】
第２レンズ群Ｇ２は、光軸に沿って物体側から順に、物体側に凸面を向けた負メニスカスレンズＬ２１と、両凹形状の負レンズＬ２２と、両凸形状の正レンズＬ２３と、両凹形状の負レンズＬ２４と両凸形状の正レンズＬ２５との接合レンズとから構成されている。第２レンズ群Ｇ２の最も物体側に位置する負メニスカスレンズＬ２１は、物体側のレンズ面に樹脂層を設けて非球面を形成した複合型非球面レンズである。
【０１２５】
第３レンズ群Ｇ３は、光軸に沿って物体側から順に、両凸形状の正レンズＬ３１と、両凸形状の正レンズＬ３２と、両凸形状の正レンズＬ３３と物体側に凹面を向けた負メニスカスレンズＬ３４との接合レンズとから構成されている。
【０１２６】
第４レンズ群Ｇ４は、光軸に沿って物体側から順に、両凹形状の負レンズＬ４１と物体側に凸面を向けた正メニスカスレンズＬ４２との接合レンズと、物体側に凹面を向けた負メニスカスレンズＬ４３とから構成されている。第４レンズ群Ｇ４の中央に位置する正メニスカスレンズＬ４２は、像面側のレンズ面を非球面形状としたガラスモールド非球面レンズである。
【０１２７】
第５レンズ群Ｇ５は、光軸に沿って物体側から順に、物体側に凹面を向けた正メニスカスレンズＬ５１と、両凸形状の正レンズＬ５２と、両凹形状の負レンズＬ５３と両凸形状の正レンズＬ５４との接合レンズとから構成されている。第５レンズ群Ｇ５の最も物体側に位置する正メニスカスレンズＬ５１は、物体側のレンズ面を非球面形状としたガラスモールド非球面レンズである。両凸形状の正レンズＬ５４から射出した光線は像面Ｉに結像する。
【０１２８】
本第３実施例に係る変倍光学系は、第１レンズ群Ｇ１の正メニスカスレンズＬ１３の物体側レンズ面と、第２レンズ群Ｇ２の両凹形状の負レンズＬ２４の物体側レンズ面に、後述する反射防止膜が形成されている。
【０１２９】
以下の表３に第３実施例に係る変倍光学系の諸元値を掲げる。
【０１３０】
（表３）第３実施例
（面データ）
面番号   r           d         nd         νd
物面    ∞          ∞
1    192.86460    2.20000    1.834000    37.16 
2     71.04740    9.00410    1.497820    82.52 
3   -459.57820    0.10000 
4     73.87410    6.67930    1.593190    67.87 
5   1334.48060 （可変） 
6*    84.76870    0.10000    1.553890    38.09 
7     73.93750    1.25000    1.834807    42.72 
8     16.85860    6.41100 
9    -43.47510    1.00000    1.816000    46.62 
10    57.52320    0.15000 
11    33.20000    5.23710    1.784723    25.68 
12   -42.33520    1.08530 
13   -25.03850    1.00000    1.816000    46.62 
14    74.32200    2.14790    1.808090    22.79 
15  -196.76990 （可変） 
16（絞り） ∞     1.00000 
17    70.66380    3.23230    1.593190    67.87 
18   -52.37330    0.10000 
19    73.76600    2.71810    1.487490    70.41 
20   -83.31450    0.10000 
21    45.54460    4.17150    1.487490    70.41 
22   -35.11250    1.00000    1.808090    22.79 
23  -188.15270 （可変） 
24  -63.85980     1.00000    1.696797    55.52 
25   31.67440     1.86210    1.804855    24.73 
26*  64.32250     4.66290 
27  -26.08000     1.00000    1.729157    54.66 
28  -73.30510 （可変） 
29*-227.36510     4.17540    1.589130    61.16 
30  -24.31080     0.10000 
31   31.50890     5.72340    1.487490    70.41 
32  -46.90920     1.38940 
33 -141.28220     1.00000    1.882997    40.76 
34   20.03510     5.37700    1.548141    45.79 
35 -602.91670 (Bf) 
像面 ∞
（非球面データ）
第6面
κ ＝ 1.0000
A4 ＝ 3.84520E-06
A6 ＝ -3.19400E-09
A8 ＝ -2.44510E-11
A10 ＝ 1.16080E-13
第26面
κ ＝ 1.0000
A4 ＝ -3.46580E-06
A6 ＝ 6.73460E-10
A8 ＝ 0.00000E+00
A10 ＝ 0.00000E+00
第29面
κ ＝ 1.0000
A4 ＝ -1.44010E-05
A6 ＝ 5.94450E-09
A8 ＝ -3.11020E-11
A10 ＝ -4.07130E-14
（各種データ）
ズーム比 15.72
Ｗ      Ｍ１     Ｍ２     Ｍ３      Ｍ４       Ｔ
f =  18.53645 27.58219 49.59390 104.29638 280.11936 291.48464
FNO = 3.48547  4.01900  5.38724   5.99810   6.59072   6.59436
ω = 39.03040 26.66707 15.52780   7.42798   2.81545   2.70726
Y =  14.20    14.20    14.20     14.20     14.20     14.20
TL =163.55   170.26   187.72    224.86    250.69    251.38
Bf = 39.23508 46.33384 63.02959  70.07809  81.49952  82.08045
φ = 16.40    16.40    16.40     16.40     17.20     17.30
d5    2.13850 10.94060 20.49340  54.83910  78.05500  78.64320
d15  33.51210 24.32490 15.53470  11.28210   2.48000   2.00000
d23   3.41920  5.91090 10.06530  11.33700  12.63700  12.68280
d28  10.26360  7.77190  3.61750   2.34580   1.04580   1.00000
（ズームレンズ群データ）
群        始面          焦点距離
１          １        １２０．８２８７６
２          ６        −１５．５２５７０
３        １６          ２６．７２８５８
４        ２４        −２５．１０４４０
５        ２９          ３４．４９９３３
（条件式対応値）
（１）  ｆ１／ｆＴ＝０．４１５
（２）  φＴ／φＷ＝１．０５５
（３）  φＭ１０／φＷ＝１．０４９  （φＭ１０は第４中間焦点距離状態Ｍ４の値）
（４）  φＭ１５／φＷ＝１．０４９  （φＭ１５は第４中間焦点距離状態Ｍ４の値）
（５）  φＭ５／φＷ＝１．０００  （φＭ５は第３中間焦点距離状態Ｍ３の値）
（６）  ｆＭ／ｆＷ＝５．６２７  （ｆＭは第３中間焦点距離状態Ｍ３の値）
（７）  −ｆ２／ｆＴ＝０．０５３３
【０１３１】
図９は、第３実施例に係る変倍光学系の無限遠合焦状態での諸収差図を示し、（ａ）は広角端状態、（ｂ）は第１中間焦点距離状態、（ｃ）は第２中間焦点距離状態をそれぞれ示す。
【０１３２】
図１０は、第３実施例に係る変倍光学系の無限遠合焦状態での諸収差図を示し、（ａ）は第３中間焦点距離状態、（ｂ）は第４中間焦点距離状態、（ｃ）は望遠端状態をそれぞれ示す。
【０１３３】
各収差図から、第３実施例に係る変倍光学系は、諸収差が良好に補正され、高い光学性能を有していることがわかる。
【０１３４】
（第４実施例）
図１１は、第４実施例に係る変倍光学系の構成を示す断面図である。
【０１３５】
図１１に示すように、第４実施例に係る変倍光学系は、光軸に沿って物体側から順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５とから構成される。
【０１３６】
広角端状態Ｗから望遠端状態Ｔへの変倍に際し、第１レンズ群Ｇ１と第２レンズ群Ｇ２との間隔は増大し、第２レンズ群Ｇ２と第３レンズ群Ｇ３との間隔は減少するように、像面Ｉに対して、第１レンズ群Ｇ１は単調に物体側へ移動し、第２レンズ群Ｇ２は第１中間焦点距離状態Ｍ１まで像側へ移動し、第１中間焦点距離状態Ｍ１から望遠端状態Ｔまでは物体側へ移動し、第３レンズ群Ｇ３は単調に物体側へ移動する。さらに、第３レンズ群Ｇ３と第４レンズ群Ｇ４との間隔は増大し、第４レンズ群Ｇ４と第５レンズ群Ｇ５との間隔は減少するように、第４レンズ群Ｇ４と第５レンズ群Ｇ５は像面Ｉに対して単調に物体側へ移動する。また、第３レンズ群Ｇ３と第５レンズ群Ｇ５は、像面Ｉに対して一体で移動する。
【０１３７】
開口絞りＳは、第２レンズ群Ｇ２の像側にある第３レンズ群Ｇ３の最も物体側に配置され、第３レンズ群Ｇ３と一体で構成される。また、広角端状態Ｗから望遠端状態Ｔへの変倍に際し、開口絞りＳは、広角端状態Ｗから第１中間焦点距離状態Ｍ１まで広角端状態Ｗの最大開口径を維持し、第１中間焦点距離状態Ｍ１から望遠端状態Ｔまでは最大開口径が単調に増大する。
【０１３８】
第１レンズ群Ｇ１は、光軸に沿って物体側から順に、物体側に凸面を向けた負メニスカスレンズＬ１１と両凸形状の正レンズＬ１２との接合レンズと、物体側に凸面を向けた正メニスカスレンズＬ１３とから構成されている。
【０１３９】
第２レンズ群Ｇ２は、光軸に沿って物体側から順に、物体側に凸面を向けた負メニスカスレンズＬ２１と、両凹形状の負レンズＬ２２と、両凸形状の正レンズＬ２３と、両凹形状の負レンズＬ２４と両凸形状の正レンズＬ２５との接合レンズとから構成されている。第２レンズ群Ｇ２の最も物体側に位置する負メニスカスレンズＬ２１は、物体側のレンズ面に樹脂層を設けて非球面を形成した複合型非球面レンズである。
【０１４０】
第３レンズ群Ｇ３は、光軸に沿って物体側から順に、両凸形状の正レンズＬ３１と、両凸形状の正レンズＬ３２と、両凸形状の正レンズＬ３３と物体側に凹面を向けた負メニスカスレンズＬ３４との接合レンズとから構成されている。
【０１４１】
第４レンズ群Ｇ４は、光軸に沿って物体側から順に、両凹形状の負レンズＬ４１と物体側に凸面を向けた正メニスカスレンズＬ４２との接合レンズと、物体側に凹面を向けた負メニスカスレンズＬ４３とから構成されている。第４レンズ群Ｇ４の最も物体側に位置する両凹形状の負レンズＬ４１は、物体側のレンズ面を非球面形状としたガラスモールド非球面レンズである。
【０１４２】
第５レンズ群Ｇ５は、光軸に沿って物体側から順に、物体側に凹面を向けた正メニスカスレンズＬ５１と、両凸形状の正レンズＬ５２と、両凹形状の負レンズＬ５３と両凸形状の正レンズＬ５４との接合レンズとから構成されている。第５レンズ群Ｇ５の最も物体側に位置する正メニスカスレンズＬ５１は、物体側のレンズ面を非球面形状としたガラスモールド非球面レンズである。両凸形状の正レンズＬ５４から射出した光線は像面Ｉに結像する。
【０１４３】
本第４実施例に係る変倍光学系は、第１レンズ群Ｇ１の両凸形状の正レンズＬ１２の像面側レンズ面と、第２レンズ群Ｇ２の負メニスカスレンズＬ２１の像面側レンズ面に、後述する反射防止膜が形成されている。
【０１４４】
以下の表４に第４実施例に係る変倍光学系の諸元値を掲げる。
【０１４５】
（表４）第４実施例
（面データ）
面番号   r           d          nd        νd
物面    ∞        ∞
1    185.24410    2.20000    1.834000    37.16 
2     68.75480    8.80000    1.497820    82.52 
3   -497.29190    0.10000 
4     71.28350    6.45000    1.593190    67.87 
5   1172.32230 （可変） 
6*    84.76870    0.10000    1.553890    38.09 
7     73.93750    1.20000    1.834807    42.72 
8     16.75000    6.90150 
9    -39.27190    1.00000    1.816000    46.62 
10    66.81930    0.15000 
11    34.96200    5.30000    1.784723    25.68 
12   -38.10160    0.85100 
13   -25.92810    1.00000    1.816000    46.62 
14    73.51020    2.05000    1.808090    22.79 
15  -287.76490 （可変） 
16（絞り） ∞     1.00000 
17    67.56430    3.40000    1.593190    67.87 
18   -48.87440    0.10000 
19    67.50290    2.45000    1.487490    70.41 
20  -148.37490    0.10000 
21    48.80470    4.10000    1.487490    70.41 
22   -34.96390    1.00000    1.808090    22.79 
23  -151.08370 （可変） 
24*  -60.11270    1.00000    1.693500    53.31 
25    28.34580    2.15000    1.728250    28.46 
26    78.30380    4.62360 
27   -25.31330    1.00000    1.729157    54.66 
28   -74.02640 （可変） 
29* -258.20790    4.30000    1.589130    61.18 
30   -24.20710    0.10000 
31    31.58110    5.85000    1.487490    70.41 
32   -43.77790    1.99120 
33  -117.57770    1.00000    1.882997    40.76 
34    20.29060    5.20000    1.548141    45.79 
35  -725.37280 (Bf) 
像面 ∞
（非球面データ）
第6面
κ ＝  1.0000
A4 ＝  3.04550E-06
A6 ＝ -3.32430E-09
A8 ＝ -1.97490E-11
A10 ＝ 7.65670E-14
第24面
κ ＝  1.0000
A4 ＝  3.99640E-06
A6 ＝ -1.46410E-09
A8 ＝  0.00000E+00
A10 ＝ 0.00000E+00
第29面
κ ＝   1.0000
A4 ＝  -1.52760E-05
A6 ＝   3.24870E-09
A8 ＝  -4.79200E-12
A10 ＝ -1.47520E-13
（各種データ）
ズーム比 15.72
Ｗ      Ｍ１      Ｍ２     Ｍ３      Ｍ４       Ｔ
f =  18.53407 28.28311 49.61061 104.44333 280.42014 291.31408
FNO = 4.19822  4.84518  5.60962   5.63139   5.64795   5.65065
ω = 39.09871 25.91447 15.52706   7.44054   2.81841   2.71459
Y =  14.20    14.20    14.20     14.20     14.20     14.20
TL =163.83   172.73   188.63    224.05    249.11    249.82
Bf = 39.11654 46.29035 62.64242  69.74259  81.54926  82.19687
φ = 13.60    13.60    15.70     17.60     20.35     20.50
d5    2.15320 13.04850 21.16970  53.87340  76.26610  76.78310
d15  33.72460 24.55710 15.98250  11.59370   2.46300   2.00000
d23   3.38090  5.75490  9.65610  11.06770  12.30820  12.36930
d28   9.98840  7.61440  3.71320   2.30160   1.06110   1.00000
（ズームレンズ群データ）
群        始面          焦点距離
１          １        １１８．４１９８３
２          ６        −１５．６２１３９
３        １６          ２７．１０６００
４        ２４        −２４．６５９９１
５        ２９          ３３．５６７５７
（条件式対応値）
（１）  ｆ１／ｆＴ＝０．４０７
（２）  φＴ／φＷ＝１．５０７
（３）  φＭ１０／φＷ＝１．４９６  （φＭ１０は第４中間焦点距離状態Ｍ４の値）
（４）  φＭ１５／φＷ＝１．４９６  （φＭ１５は第４中間焦点距離状態Ｍ４の値）
（５）  φＭ５／φＷ＝１．２９４  （φＭ５は第３中間焦点距離状態Ｍ３の値）
（６）  ｆＭ／ｆＷ＝１．５２６  （ｆＭは第１中間焦点距離状態Ｍ１の値）
（７）  −ｆ２／ｆＴ＝０．０５３６
【０１４６】
図１２は、第４実施例に係る変倍光学系の無限遠合焦状態での諸収差図を示し、（ａ）は広角端状態、（ｂ）は第１中間焦点距離状態、（ｃ）は第２中間焦点距離状態をそれぞれ示す。
【０１４７】
図１３は、第４実施例に係る変倍光学系の無限遠合焦状態での諸収差図を示し、（ａ）は第３中間焦点距離状態、（ｂ）は第４中間焦点距離状態、（ｃ）は望遠端状態をそれぞれ示す。
【０１４８】
各収差図から、第４実施例に係る変倍光学系は、諸収差が良好に補正され、高い光学性能を有していることがわかる。
【０１４９】
（第５実施例）
図１４は、第５実施例に係る変倍光学系の構成を示す断面図である。
【０１５０】
図１４に示すように、第５実施例に係る変倍光学系は、光軸に沿って物体側から順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５とから構成される。
【０１５１】
広角端状態Ｗから望遠端状態Ｔへの変倍に際し、第１レンズ群Ｇ１と第２レンズ群Ｇ２との間隔は増大し、第２レンズ群Ｇ２と第３レンズ群Ｇ３との間隔は減少するように、像面Ｉに対して、第１レンズ群Ｇ１は単調に物体側へ移動し、第２レンズ群Ｇ２は第１中間焦点距離状態Ｍ１まで像側へ移動し、第１中間焦点距離状態Ｍ１から望遠端状態Ｔまでは物体側へ移動し、第３レンズ群Ｇ３は単調に物体側へ移動する。さらに、第３レンズ群Ｇ３と第４レンズ群Ｇ４との間隔は増大し、第４レンズ群Ｇ４と第５レンズ群Ｇ５との間隔は減少するように、第４レンズ群Ｇ４と第５レンズ群Ｇ５は像面Ｉに対して単調に物体側へ移動する。
【０１５２】
開口絞りＳは、第２レンズ群Ｇ２の像側にある第３レンズ群Ｇ３の最も物体側に配置され、第３レンズ群Ｇ３と一体で構成される。また、広角端状態Ｗから望遠端状態Ｔへの変倍に際し、開口絞りＳは、広角端状態Ｗから第２中間焦点距離状態Ｍ２まで広角端状態Ｗの最大開口径を維持し、第２中間焦点距離状態Ｍ２から望遠端状態Ｔまでは最大開口径が単調に増大する。
【０１５３】
第１レンズ群Ｇ１は、光軸に沿って物体側から順に、物体側に凸面を向けた負メニスカスレンズＬ１１と両凸形状の正レンズＬ１２との接合レンズと、物体側に凸面を向けた正メニスカスレンズＬ１３とから構成されている。
【０１５４】
第２レンズ群Ｇ２は、光軸に沿って物体側から順に、物体側に凸面を向けた負メニスカスレンズＬ２１と、両凹形状の負レンズＬ２２と、両凸形状の正レンズＬ２３と、両凹形状の負レンズＬ２４と両凸形状の正レンズＬ２５との接合レンズとから構成されている。第２レンズ群Ｇ２の最も物体側に位置する負メニスカスレンズＬ２１は、物体側のレンズ面に樹脂層を設けて非球面を形成した複合型非球面レンズである。
【０１５５】
第３レンズ群Ｇ３は、光軸に沿って物体側から順に、両凸形状の正レンズＬ３１と、両凸形状の正レンズＬ３２と、両凸形状の正レンズＬ３３と物体側に凹面を向けた負メニスカスレンズＬ３４との接合レンズとから構成されている。
【０１５６】
第４レンズ群Ｇ４は、光軸に沿って物体側から順に、両凹形状の負レンズＬ４１と物体側に凸面を向けた正メニスカスレンズＬ４２との接合レンズと、物体側に凹面を向けた負メニスカスレンズＬ４３とから構成されている。第４レンズ群Ｇ４の最も物体側に位置する両凹形状の負レンズＬ４１は、物体側のレンズ面に樹脂層を設けて非球面を形成した複合型非球面レンズである。
【０１５７】
第５レンズ群Ｇ５は、光軸に沿って物体側から順に、両凸形状の正レンズＬ５１と、両凸形状の正レンズＬ５２と、両凹形状の負レンズＬ５３と両凸形状の正レンズＬ５４との接合レンズとから構成されている。第５レンズ群Ｇ５の最も物体側に位置する両凸形状の正レンズＬ５１は、物体側のレンズ面を非球面形状としたガラスモールド非球面レンズである。両凸形状の正レンズＬ５４から射出した光線は像面Ｉに結像する。
【０１５８】
本第５実施例に係る変倍光学系は、第１レンズ群Ｇ１の両凸形状の正レンズＬ１２の像面側レンズ面と、第２レンズ群Ｇ２の両凸形状の正レンズＬ２３の像面側レンズ面に、後述する反射防止膜が形成されている。
【０１５９】
以下の表５に第５実施例に係る変倍光学系の諸元値を掲げる。
【０１６０】
（表５）第５実施例
（面データ）
面番号    r         d          nd         νd
物面    ∞        ∞
1    175.60560    2.20000    1.834000    37.16 
2     67.43020    8.80000    1.497820    82.52 
3   -587.78480    0.10000 
4     72.27100    6.45000    1.593190    67.87 
5   1826.13880 （可変） 
6*    84.76870    0.10000    1.553890    38.09
7     73.93750    1.20000    1.834807    42.72 
8     17.18730    6.95000 
9    -36.98220    1.00000    1.816000    46.62 
10    77.92630    0.15000 
11    36.63460    5.30000    1.784723    25.68 
12   -36.63460    0.80000 
13   -26.19910    1.00000    1.816000    46.62 
14    63.73960    2.05000    1.808090    22.79 
15  -643.27060 （可変） 
16（絞り） ∞     1.00000 
17    65.83650    3.40000    1.593190    67.87 
18   -50.15460    0.10000 
19    65.68170    2.45000    1.487490    70.41 
20  -154.97430    0.10000 
21    46.73330    4.20000    1.487490    70.41 
22   -35.78330    1.00000    1.808090    22.79 
23  -191.93180 （可変） 
24*  -57.29660    0.20000    1.553890    38.09 
25   -59.72500    0.90000    1.696797    55.52 
26    28.51000    2.15000    1.728250    28.46 
27    91.99760    4.14020 
28   -32.89540    1.00000    1.729157    54.66 
29  -144.33150 （可変） 
30* 6427.19190    4.65000    1.589130    61.18 
31   -27.38180    0.10000 
32    31.47760    5.85000    1.487490    70.41 
33   -43.75390    1.45000 
34  -113.58970    1.00000    1.882997    40.76 
35    20.34810    5.30000    1.548141    45.79 
36  -709.14530 (Bf) 
像面   ∞
（非球面データ）
第6面
κ ＝ 1.0000
A4 ＝ 2.88220E-06
A6 ＝ -2.29350E-11
A8 ＝ -2.35280E-11
A10 ＝ 9.21570E-14
第24面
κ ＝ 1.0000
A4 ＝ 4.32780E-06
A6 ＝ 1.88460E-09
A8 ＝ 0.00000E+00
A10 ＝ 0.00000E+00
第30面
κ ＝ 1.0000
A4 ＝ -1.36170E-05
A6 ＝ -3.55860E-10
A8 ＝ 1.83080E-11
A10 ＝ -1.86790E-13
（各種データ）
ズーム比 15.70
Ｗ     Ｍ１     Ｍ２     Ｍ３      Ｍ４       Ｔ
f =  18.56060 27.94799 48.95245 104.65150 280.18763 291.42454
FNO = 3.57565  4.13253  5.36204   5.62482   5.80434   5.81064
ω = 38.80191 26.18802 15.68652   7.44205   2.82863   2.72113
Y =  14.20    14.20    14.20     14.20     14.20     14.20
TL =164.76   171.03   189.45    225.29    249.99    250.61
Bf = 38.84705 44.06807 62.50183  73.57929  86.00428  86.64770
φ = 15.80    15.80    15.80     17.50     19.50     19.60
d5    2.15700 11.13190 22.22690  53.01000  75.67850  76.25220
d15  33.36360 23.94380 15.96870  11.30360   2.48130   2.00000
d23   3.46820  7.42730  8.95240   9.64300   9.67390   9.62460
d29  11.83830  9.36420  4.70680   2.66290   1.06600   1.00000
（ズームレンズ群データ）
群        始面          焦点距離
１          １        １１７．７２９３７
２          ６        −１５．６０９４５
３        １６          ２７．３５４７３
４        ２４        −２６．５００４１
５        ３０          ３５．２０４２３
（条件式対応値）
（１）  ｆ１／ｆＴ＝０．４０４
（２）  φＴ／φＷ＝１．２４１
（３）  φＭ１０／φＷ＝１．２３４  （φＭ１０は第４中間焦点距離状態Ｍ４の値）
（４）  φＭ１５／φＷ＝１．２３４  （φＭ１５は第４中間焦点距離状態Ｍ４の値）
（５）  φＭ５／φＷ＝１．１０８  （φＭ５は第３中間焦点距離状態Ｍ３の値）
（６）  ｆＭ／ｆＷ＝２．６３７  （ｆＭは第２中間焦点距離状態Ｍ２の値）
（７）  −ｆ２／ｆＴ＝０．０５３６
【０１６１】
図１５は、第５実施例に係る変倍光学系の無限遠合焦状態での諸収差図を示し、（ａ）は広角端状態、（ｂ）は第１中間焦点距離状態、（ｃ）は第２中間焦点距離状態をそれぞれ示す。
【０１６２】
図１６は、第５実施例に係る変倍光学系の無限遠合焦状態での諸収差図を示し、（ａ）は第３中間焦点距離状態、（ｂ）は第４中間焦点距離状態、（ｃ）は望遠端状態をそれぞれ示す。
【０１６３】
各収差図から、第５実施例に係る変倍光学系は、諸収差が良好に補正され、高い光学性能を有していることがわかる。
【０１６４】
以上のように、本実施形態によれば、収差変動を抑え、高い光学性能を有する変倍光学系を提供することができる。
【０１６５】
ここで、本願の変倍光学系に用いられる反射防止膜（多層広帯域反射防止膜とも言う）について説明する。図１９は、反射防止膜の膜構成の一例を示す図である。この反射防止膜１０１は７層からなり、レンズ等の光学部材１０２の光学面に形成される。第１層１０１ａは真空蒸着法で蒸着された酸化アルミニウムで形成されている。また、この第１層１０１ａの上に更に真空蒸着法で蒸着された酸化チタンと酸化ジルコニウムの混合物からなる第２層１０１ｂが形成される。さらに、この第２層１０１ｂの上に真空蒸着法で蒸着された酸化アルミニウムからなる第３層１０１ｃが形成され、この第３層１０１ｃの上に真空蒸着法で蒸着された酸化チタンと酸化ジルコニウムの混合物からなる第４層１０１ｄが形成される。またさらに、この第４層１０１ｄの上に真空蒸着法で蒸着された酸化アルミニウムからなる第５層１０１ｅが形成され、この第５層１０１ｅの上に真空蒸着法で蒸着された酸化チタンと酸化ジルコニウムの混合物からなる第６層１０１ｆが形成される。
【０１６６】
そして、このようにして形成された第６層１０１ｆの上に、ウェットプロセスによりフッ化マグネシウムとシリカの混合物からなる第７層１０１ｇが形成されて本実施形態の反射防止膜１０１が形成される。第７層１０１ｇの形成には、ウェットプロセスの一種であるゾルーゲル法を用いている。ゾルーゲル法とは、原料を混合することにより得られたゾルを、加水分解・重縮合反応などにより流動性のないゲルとし、このゲルを加熱・分解して生成物を得る方法であり、光学薄膜の作製においては、光学部材の光学面上に光学薄膜材料ゾルを塗布し、乾燥固化によりゲル膜とすることで膜を生成することができる。なお、ウェットプロセスとして、ゾルーゲル法に限らず、ゲル状態を経ないで固体膜を得る方法を用いるようにしてもよい。
【０１６７】
このように、この反射防止膜１０１の第１層１０１ａ〜第６層１０１ｆまではドライプロセスである電子ビーム蒸着により形成され、最上層である第７層１０１ｇは、フッ酸／酢酸マグネシウム法で調製したゾル液を用いるウェットプロセスにより以下の手順で形成されている。まず、予めレンズ成膜面（上述の光学部材１０２の光学面）に真空蒸着装置を用いて第１層１０１ａとなる酸化アルミニウム層、第２層１０１ｂとなる酸化チタン−酸化ジルコニウム混合層、第３層１０１ｃとなる酸化アルミニウム層、第４層１０１ｄとなる酸化チタン−酸化ジルコニウム混合層、第５層１０１ｅとなる酸化アルミニウム層、第６層１０１ｆとなる酸化チタン−酸化ジルコニウム混合層を順に形成する。そして、蒸着装置より光学部材１０２を取り出した後、フッ酸／酢酸マグネシウム法により調製したゾル液にシリコンアルコキシドを加えたものをスピンコート法により塗布することにより、第７層１０１ｇとなるフッ化マグネシウムとシリカの混合物からなる層を形成する。フッ酸／酢酸マグネシウム法によって調製される際の反応式を以下の式（ａ）に示す。
【０１６８】
（ａ） ２ＨＦ＋Ｍｇ（ＣＨ3ＣＯＯ）2→ＭｇＦ2＋２ＣＨ3ＣＯＯＨ  
【０１６９】
この成膜に用いたゾル液は、原料混合後、オートクレーブで１４０℃、２４時間高温加圧熟成処理を施した後、成膜に用いられる。この光学部材１０２は、第７層１０１ｇの成膜終了後、大気中で１６０℃、１時間加熱処理して完成される。このようなゾル−ゲル法を用いることにより、大きさが数ｎｍから数十ｎｍの粒子が空隙を残して堆積することにより第７層１０１ｇが形成される。
【０１７０】
このようにして形成された反射防止膜１０１を有する光学部材の光学的性能について図２０に示す分光特性を用いて説明する。
【０１７１】
本実施形態に係る反射防止膜を有する光学部材（レンズ）は、以下の表６に示す条件で形成されている。ここで表６は、基準波長をλとし、基板の屈折率（光学部材）が１．６２、１．７４及び１．８５について反射防止膜１０１の各層１０１ａ（第１層）〜１０１ｇ（第７層）の光学膜厚をそれぞれ求めたものである。なお、表６では、酸化アルミニウムをAl2O3、酸化チタンと酸化ジルコニウム混合物をZrO2＋TiO2、フッ化マグネシウムとシリカの混合物をMgF2＋SiO2とそれぞれ表している。
【０１７２】
（表６）
物質      屈折率  光学膜厚  光学膜厚  光学膜厚  
媒質    空気        1
第７層  MgF2＋SiO2  1.26  0.268λ    0.271λ    0.269λ
第６層  ZrO2＋TiO2  2.12  0.057λ    0.054λ    0.059λ
第５層  Al2O3       1.65  0.171λ    0.178λ    0.162λ
第４層  ZrO2＋TiO2  2.12  0.127λ    0.13λ     0.158λ
第３層  Al2O3       1.65  0.122λ    0.107λ    0.08λ
第２層  ZrO2＋TiO2  2.12  0.059λ    0.075λ    0.105λ
第１層  Al2O3       1.65  0.257λ    0.03λ     0.03λ
基板の屈折率              1.62       1.74       1.85
【０１７３】
図２０は、表６において基準波長λを５５０ｎｍとして反射防止膜１０１の各層の光学膜厚を設計した光学部材に光線が垂直入射する時の分光特性を表している。
【０１７４】
図２０から、基準波長λを５５０ｎｍで設計した反射防止膜１０１を有する光学部材は、光線の波長が４２０ｎｍ〜７２０ｎｍの全域で反射率を０．２％以下に抑えられることが判る。また、表６において基準波長λをｄ線（波長５８７．６ｎｍ）として各光学膜厚を設計した反射防止膜１０１を有する光学部材でも、その分光特性にはほとんど影響せず、図２０に示す基準波長λが５５０ｎｍの場合とほぼ同等の分光特性を有する。
【０１７５】
次に、本反射防止膜の変形例について説明する。この反射防止膜は５層からなり、表６と同様、以下の表７で示される条件で基準波長λに対する各層の光学膜厚が設計される。本変形例では、第５層の形成に前述のゾル−ゲル法を用いている。
【０１７６】
（表７）
物質      屈折率  光学膜厚  光学膜厚
媒質    空気        1
第５層  MgF2＋SiO2  1.26  0.275λ  0.269λ    
第４層  ZrO2＋TiO2  2.12  0.045λ  0.043λ    
第３層  Al2O3       1.65  0.212λ  0.217λ    
第２層  ZrO2＋TiO2  2.12  0.077λ  0.066λ    
第１層  Al2O3       1.65  0.288λ  0.290λ    
基板の屈折率              1.46     1.52       
【０１７７】
図２１は、表７において、基板の屈折率が１．５２及び基準波長λを５５０ｎｍとして各光学膜厚を設計した反射防止膜を有する光学部材に光線が垂直入射する時の分光特性を示している。図２１から本変形例の反射防止膜は、光線の波長が４２０ｎｍ〜７２０ｎｍの全域で反射率が０．２％以下に抑えられることがわかる。なお、表７において基準波長λをｄ線（波長５８７．６ｎｍ）として各光学膜厚を設計した反射防止膜を有する光学部材でも、その分光特性にはほとんど影響せず、図２１に示す分光特性とほぼ同等の特性を有する。
【０１７８】
図２２は、図２１に示す分光特性を有する光学部材への光線の入射角が３０度、４５度、６０度の場合の分光特性をそれぞれ示す。なお、図２１、図２２には表７に示す基板の屈折率が１．４６の反射防止膜を有する光学部材の分光特性が図示されていないが、基板の屈折率が１．５２とほぼ同等の分光特性を有していることは言うまでもない。
【０１７９】
また比較のため、図２３に、従来の真空蒸着法などのドライプロセスのみで成膜した反射防止膜の一例を示す。図２３は、表７と同じ基板の屈折率１．５２に以下の表８で示される条件で構成される反射防止膜を設計した光学部材に光線が垂直入射する時の分光特性を示す。また、図２４は、図２３に示す分光特性を有する光学部材への光線の入射角が３０度、４５度、６０度の場合の分光特性をそれぞれ示す。
【０１８０】
（表８）
物質      屈折率  光学膜厚
媒質    空気        1
第７層  MgF2        1.39  0.243λ    
第６層  ZrO2＋TiO2  2.12  0.119λ    
第５層  Al2O3       1.65  0.057λ    
第４層  ZrO2＋TiO2  2.12  0.220λ    
第３層  Al2O3       1.65  0.064λ    
第２層  ZrO2＋TiO2  2.12  0.057λ    
第１層  Al2O3       1.65  0.193λ    
基板の屈折率              1.52       
【０１８１】
図２０〜図２２で示される本実施形態に係る反射防止膜を有する光学部材の分光特性を、図２３および図２４で示される従来例の分光特性と比較すると、本反射防止膜はいずれの入射角においてもより低い反射率を有し、しかもより広い帯域を有することが良くわかる。
【０１８２】
次に、本願の第１実施例から第５実施例に、上記表６および表７に示す反射防止膜を適用した例について説明する。
【０１８３】
本第１実施例の変倍光学系において、第２レンズ群Ｇ２の負メニスカスレンズＬ２１の屈折率は、表１に示すように、ｎｄ＝１．８３４８０７であり、第２レンズ群Ｇ２の両凹形状の負レンズＬ２２の屈折率は、ｎｄ＝１．８１６０００であるため、負メニスカスレンズＬ２１における像面側のレンズ面に基板の屈折率が１．８５に対応する反射防止膜１０１（表６参照）を用い、両凹形状の負レンズＬ２２の物体側のレンズ面に、基板の屈折率が１．８５に対応する反射防止膜（表６参照）を用いることで各レンズ面からの反射光を少なくでき、ゴーストやフレアを低減することができる。
【０１８４】
本第２実施例の変倍光学系において、第１レンズ群Ｇ１の正メニスカスレンズＬ１３の屈折率は、表２に示すように、ｎｄ＝１．５９３１９０であり、第２レンズ群Ｇ２の両凸形状の正レンズＬ２３の屈折率は、ｎｄ＝１．７８４７２０であるため、正メニスカスレンズＬ１３における物体側のレンズ面に基板の屈折率が１．６２に対応する反射防止膜１０１（表６参照）を用い、両凸形状の正レンズＬ２３の像面側のレンズ面に、基板の屈折率が１．７４に対応する反射防止膜（表６参照）を用いることで各レンズ面からの反射光を少なくでき、ゴーストやフレアを低減することができる。
【０１８５】
本第３実施例の変倍光学系において、第１レンズ群Ｇ１の正メニスカスレンズＬ１３の屈折率は、表３に示すように、ｎｄ＝１．５９３１９０であり、第２レンズ群Ｇ２の両凹形状の負レンズＬ２４の屈折率は、ｎｄ＝１．８１６０００であるため、正メニスカスレンズＬ１３における物体側のレンズ面に基板の屈折率が１．６２に対応する反射防止膜１０１（表６参照）を用い、両凹形状の負レンズＬ２４の物体側のレンズ面に、基板の屈折率が１．８５に対応する反射防止膜（表６参照）を用いることで各レンズ面からの反射光を少なくでき、ゴーストやフレアを低減することができる。
【０１８６】
本第４実施例の変倍光学系において、第１レンズ群Ｇ１の両凸形状の正レンズＬ１２の屈折率は、表４に示すように、ｎｄ＝１．４９７８２０であり、第２レンズ群Ｇ２の負メニスカスレンズＬ２１の屈折率は、ｎｄ＝１．８３４８０７であるため、両凸形状の正レンズＬ１２における像面側のレンズ面に基板の屈折率が１．５２に対応する反射防止膜１０１（表７参照）を用い、負メニスカスレンズＬ２１の像面側のレンズ面に、基板の屈折率が１．８５に対応する反射防止膜（表６参照）を用いることで各レンズ面からの反射光を少なくでき、ゴーストやフレアを低減することができる。
【０１８７】
本第５実施例の変倍光学系において、第１レンズ群Ｇ１の両凸形状の正レンズＬ１２の屈折率は、表５に示すように、ｎｄ＝１．４９７８２０であり、第２レンズ群Ｇ２の両凸形状の正レンズＬ２３の屈折率は、ｎｄ＝１．７８４７２３であるため、両凸形状の正レンズＬ１２における像面側のレンズ面に基板の屈折率が１．５２に対応する反射防止膜１０１（表７参照）を用い、両凸形状の正レンズＬ２３の像面側のレンズ面に、基板の屈折率が１．７４に対応する反射防止膜（表６参照）を用いることで各レンズ面からの反射光を少なくでき、ゴーストやフレアを低減することができる。
【０１８８】
次に、本実施形態に係る変倍光学系を搭載したカメラについて説明する。なお、第１実施例に係る変倍光学系を搭載した場合について説明するが、他の実施例でも同様である。
【０１８９】
図１７は、第１実施例に係る変倍光学系を備えたカメラの構成を示す図である。
【０１９０】
図１７において、カメラ１は、撮影レンズ２として第１実施例に係る変倍光学系を備えたデジタル一眼レフカメラである。カメラ１において、不図示の物体（被写体）からの光は、撮影レンズ２で集光されて、クイックリターンミラー３を介して焦点板４に結像される。そして焦点板４に結像されたこの光は、ペンタプリズム５中で複数回反射されて接眼レンズ６へ導かれる。これにより撮影者は、被写体像を接眼レンズ６を介して正立像として観察することができる。
【０１９１】
また、撮影者によって不図示のレリーズボタンが押されると、クイックリターンミラー３が光路外へ退避し、不図示の被写体からの光は撮像素子７へ到達する。これにより被写体からの光は、撮像素子７によって撮像されて、被写体画像として不図示のメモリに記録される。このようにして、撮影者はカメラ１による被写体の撮影を行うことができる。
【０１９２】
カメラ１に撮影レンズ２として第１実施例に係る変倍光学系を搭載することにより、高い性能を有するカメラを実現することができる。なお、本実施例に係る変倍光学系は、クイックリターンミラーのないミラーレスカメラに使用しても同様の効果を奏することができる。
【０１９３】
以下、本願の変倍光学系の製造方法の概略を説明する。
【０１９４】
図１８は、本願の変倍光学系の製造方法を示す図である。
【０１９５】
本願の変倍光学系の製造方法は、光軸に沿って物体側から順に、正屈折力の第１レンズ群と、負屈折力の第２レンズ群と、正屈折力の第３レンズ群と、負屈折力の第４レンズ群と、正屈折力の第５レンズ群とを有する変倍光学系の製造方法であって、図１８に示すステップＳ１，Ｓ２，Ｓ３を含むものである。
【０１９６】
ステップＳ１：開口絞りを第２レンズ群より像側に配置する。
【０１９７】
ステップＳ２：第１レンズ群と第２レンズ群と第３レンズ群と第４レンズ群と第５レンズ群とを、広角端状態から望遠端状態への変倍に際し、第１レンズ群と第２レンズ群との間隔が増大可能、第２レンズ群と第３レンズ群との間隔が減少可能、第３レンズ群と第４レンズ群との間隔が変化可能、第４レンズ群と第５レンズ群との間隔が変化可能に配置する。
【０１９８】
ステップＳ３：以下の条件式（１）、（２）を満足するようにする。
（１）  ０．１７  ＜  ｆ１／ｆＴ  ＜  ０．６０
（２）  １．０３  ＜  φＴ／φＷ  ＜  １．７０
但し、ｆＴは望遠端状態における全系の焦点距離、ｆ１は第１レンズ群の焦点距離、φＷは広角端状態における開口絞りの最大開口径、φＴは望遠端状態における開口絞りの最大開口径である。
【０１９９】
本願の変倍光学系の製造方法によれば、収差変動を抑え、ゴーストやフレアをより低減させ、高い光学性能を有する変倍光学系を製造することができる。
【０２００】
なお、以下に記載の内容は、光学性能を損なわない範囲で適宜採用可能である。
【０２０１】
実施例では、５群構成を示したが、６群等の他の群構成にも適用可能である。また、最も物体側にレンズまたはレンズ群を追加した構成や、最も像側にレンズまたはレンズ群を追加した構成でも構わない。また、レンズ群とは、変倍時に変化する空気間隔で分離された、少なくとも１枚のレンズを有する部分を示す。
【０２０２】
単独または複数のレンズ群、または部分レンズ群を光軸方向に移動させて、無限遠物体から近距離物体への合焦を行う合焦レンズ群としても良い。前記合焦レンズ群は、オートフォーカスにも適用でき、オートフォーカス用の(超音波モータ等を用いた)モータ駆動にも適している。特に、第２レンズ群の少なくとも一部を合焦レンズ群とするのが好ましい。
【０２０３】
また、レンズ群または部分レンズ群を光軸に垂直な方向の成分を持つように移動させ、または、光軸を含む面内方向に回転移動（揺動）させて、手ブレによって生じる像ブレを補正する防振レンズ群としても良い。特に、第４レンズ群の少なくとも一部を防振レンズ群とするのが好ましい。
【０２０４】
また、レンズ面は、球面または平面で形成されても、非球面で形成されても構わない。
【０２０５】
レンズ面が球面または平面の場合、レンズ加工及び組立調整が容易になり、加工及び組立調整の誤差による光学性能の劣化を防げるので好ましい。また、像面がずれた場合でも描写性能の劣化が少ないので好ましい。
【０２０６】
レンズ面が非球面の場合、非球面は、研削加工による非球面、ガラスを型で非球面形状に形成したガラスモールド非球面、ガラスの表面に樹脂を非球面形状に形成した複合型非球面のいずれの非球面でも構わない。また、レンズ面は回折面としても良く、レンズを屈折率分布型レンズ（ＧＲＩＮレンズ）あるいはプラスチックレンズとしても良い。
【０２０７】
また、本実施形態の変倍光学系は、変倍比が７〜２５程度である。
【０２０８】
また、本実施形態の変倍光学系は、第１レンズ群が正のレンズ成分を２つ有するのが好ましい。また、第１レンズ群は、物体側から順に、正正の順番にレンズ成分を、空気間隔を介在させて配置するのが好ましい。
【０２０９】
また、本実施形態の変倍光学系は、第２レンズ群が正のレンズ成分を１つと負のレンズ成分を３つ有するのが好ましい。また、第２レンズ群は、物体側から順に、負負正負の順番にレンズ成分を、空気間隔を介在させて配置するのが好ましい。
【０２１０】
また、本実施形態の変倍光学系は、第３レンズ群が正のレンズ成分を３つ有するのが好ましい。
【０２１１】
また、本実施形態の変倍光学系は、第４レンズ群が負のレンズ成分を２つ有するのが好ましい。
【０２１２】
また、本実施形態の変倍光学系は、第５レンズ群が正のレンズ成分を２つ有するのが好ましい。また、第５レンズ群は、物体側から順に、正正の順番にレンズ成分を、空気間隔を介在させて配置するのが好ましい。
【０２１３】
なお、本発明を分かり易く説明するために実施形態の構成要件を付して説明したが、本発明はこれに限定されるものではない。
【符号の説明】
【０２１４】
Ｇ１          第１レンズ群
Ｇ２          第２レンズ群
Ｇ３          第３レンズ群
Ｇ４          第４レンズ群
Ｇ５          第５レンズ群
Ｓ            開口絞り
Ｉ            像面
１            カメラ
１０１        反射防止膜
１０１ａ      第１層
１０１ｂ      第２層
１０１ｃ      第３層
１０１ｄ      第４層
１０１ｅ      第５層
１０１ｆ      第６層
１０１ｇ      第７層
１０２        光学部材
【図１】
0005614310.tif 000002
【図２】
0005614310.tif 000003
【図３】
0005614310.tif 000004
【図４】
0005614310.tif 000005
【図５】
0005614310.tif 000006
【図６】
0005614310.tif 000007
【図７】
0005614310.tif 000008
【図８】
0005614310.tif 000009
【図９】
0005614310.tif 000010
【図１０】
0005614310.tif 000011
【図１１】
0005614310.tif 000012
【図１２】
0005614310.tif 000013
【図１３】
0005614310.tif 000014
【図１４】
0005614310.tif 000015
【図１５】
0005614310.tif 000016
【図１６】
0005614310.tif 000017
【図１７】
0005614310.tif 000018
【図１８】
0005614310.tif 000019
【図１９】
0005614310.tif 000020
【図２０】
0005614310.tif 000021
【図２１】
0005614310.tif 000022
【図２２】
0005614310.tif 000023
【図２３】
0005614310.tif 000024
【図２４】
0005614310.tif 000025